(57)【要約】      （修正有）【課題】参照信号を効率的に配置する。【解決手段】端末装置は、基地局装置との通信に用いられる第１の情報と第２の情報を受信する上位層処理部と、第１の参照信号（ＲＳ）と、第２のＲＳと、第３のＲＳと、物理上りリンク共有チャネル（ＰＵＳＣＨ）を送信する送信部と、物理下りリンク制御チャネル（ＰＤＣＣＨ）を受信する受信部とを備える。第１の情報は、第２のＲＳの配置に関する情報を含み、第２の情報は、第３のＲＳの配置に関する情報を含む。第１のＲＳは、下りリンク制御情報（ＤＣＩ）に基づいて決定されるリソースエレメント（ＲＥ）に常に配置され、第２のＲＳは、第１の情報に基づいて、第１のＲＳとは異なるＲＥに配置され、第３のＲＳは、第２の情報に基づいて、第１のＲＥに配置される。第２のＲＳが配置されるＲＥの位置と、第３のＲＳが配置される第１のＲＥの位置とが同じである場合に、そのＲＥには第３のＲＳはマップされない。【選択図】図６
2019050469.tif 000002
【特許請求の範囲】
【請求項１】
基地局装置と通信する端末装置であって、
前記基地局装置との通信に用いられる第１の情報と第２の情報を受信する上位層処理部と、
第１の参照信号と、第２の参照信号と、第３の参照信号と、物理上りリンク共有チャネルを送信する送信部と、
物理下りリンク制御チャネルを受信する受信部と、
を備え、
前記第１の情報は、前記第２の参照信号の配置に関する情報を含み、
前記第２の情報は、前記第３の参照信号の配置に関する情報を含み、
前記物理上りリンク共有チャネルは、前記物理下りリンク制御チャネルにより受信された下りリンク制御情報に基づいて送信され、
前記第１の参照信号は、前記下りリンク制御情報に基づいて決定されるリソースブロック内の一部のリソースエレメントに常に配置され、
前記第２の参照信号は、前記第１の情報に基づいて、前記リソースブロック内の前記第１の参照信号とは異なるリソースエレメントに配置され、
前記第３の参照信号は、前記第２の情報に基づいて、前記リソースブロック内の一部のリソースエレメントである第１のリソースエレメントに配置され、
前記第２の参照信号が配置されるリソースエレメントの位置と前記第１のリソースエレメントの位置とが同じである場合に、前記リソースエレメントに前記第３の参照信号がマップされない、端末装置。
【請求項２】
前記第１のリソースエレメントとは異なるシンボル番号である第２のリソースエレメントに、前記第３の参照信号が配置されない場合に、前記第２のリソースエレメントに前記第３の参照信号がマップされる、請求項１記載の端末装置。
【請求項３】
端末装置と通信する基地局装置であって、
前記端末装置との通信に用いられる第１の情報と第２の情報を受信する上位層処理部と、
物理下りリンク制御チャネルを送信する送信部と、
第１の参照信号と、第２の参照信号と、第３の参照信号と、物理上りリンク共有チャネルを受信する受信部と、
を備え、
前記第１の情報は、前記第２の参照信号の配置に関する情報を含み、
前記第２の情報は、前記第３の参照信号の配置に関する情報を含み、
前記物理上りリンク共有チャネルは、前記物理下りリンク制御チャネルにより送信された下りリンク制御情報に基づいて送信され、
前記第１の参照信号は、前記下りリンク制御情報に基づいて決定されるリソースブロック内の一部のリソースエレメントに常に配置され、
前記第２の参照信号は、前記第１の情報に基づいて、前記リソースブロック内の前記第１の参照信号とは異なるリソースエレメントに配置され、
前記第３の参照信号は、前記第２の情報に基づいて、前記リソースブロック内の一部のリソースエレメントである第１のリソースエレメントに配置され、
前記第２の参照信号が配置されるリソースエレメントの位置と前記第１のリソースエレメントの位置とが同じである場合に、前記リソースエレメントに前記第３の参照信号がマップされない、基地局装置。
【請求項４】
前記第１のリソースエレメントとは異なるシンボル番号である第２のリソースエレメントに、前記第３の参照信号が配置されない場合に、前記第２のリソースエレメントに前記第３の参照信号がマップされる、請求項３記載の基地局装置。
【請求項５】
基地局装置と通信する端末装置の通信方法であって、
前記基地局装置との通信に用いられる第１の情報と第２の情報を受信し、
第１の参照信号と、第２の参照信号と、第３の参照信号と、物理上りリンク共有チャネルを送信し、
物理下りリンク制御チャネルを受信し、
前記第１の情報は、前記第２の参照信号の配置に関する情報を含み、
前記第２の情報は、前記第３の参照信号の配置に関する情報を含み、
前記物理上りリンク共有チャネルは、前記物理下りリンク制御チャネルにより受信された下りリンク制御情報に基づいて送信され、
前記第１の参照信号は、前記下りリンク制御情報に基づいて決定されるリソースブロック内の一部のリソースエレメントに常に配置され、
前記第２の参照信号は、前記第１の情報に基づいて、前記リソースブロック内の前記第１の参照信号とは異なるリソースエレメントに配置され、
前記第３の参照信号は、前記第２の情報に基づいて、前記リソースブロック内の一部のリソースエレメントである第１のリソースエレメントに配置され、
前記第２の参照信号が配置されるリソースエレメントの位置と前記第１のリソースエレメントの位置とが同じである場合に、前記リソースエレメントに前記第３の参照信号がマップされない、通信方法。
【請求項６】
端末装置と通信する基地局装置の通信方法であって、
前記端末装置との通信に用いられる第１の情報と第２の情報を受信し、
物理下りリンク制御チャネルを送信し、
第１の参照信号と、第２の参照信号と、第３の参照信号と、物理上りリンク共有チャネルを受信し、
前記第１の情報は、前記第２の参照信号の配置に関する情報を含み、
前記第２の情報は、前記第３の参照信号の配置に関する情報を含み、
前記物理上りリンク共有チャネルは、前記物理下りリンク制御チャネルにより送信された下りリンク制御情報に基づいて送信され、
前記第１の参照信号は、前記下りリンク制御情報に基づいて決定されるリソースブロック内の一部のリソースエレメントに常に配置され、
前記第２の参照信号は、前記第１の情報に基づいて、前記リソースブロック内の前記第１の参照信号とは異なるリソースエレメントに配置され、
前記第３の参照信号は、前記第２の情報に基づいて、前記リソースブロック内の一部のリソースエレメントである第１のリソースエレメントに配置され、
前記第２の参照信号が配置されるリソースエレメントの位置と前記第１のリソースエレメントの位置とが同じである場合に、前記リソースエレメントに前記第３の参照信号がマップされない、通信方法。
【請求項７】
基地局装置と通信する端末装置に実装される集積回路であって、
前記基地局装置との通信に用いられる第１の情報と第２の情報を受信する受信手段と、
第１の参照信号と、第２の参照信号と、第３の参照信号と、物理上りリンク共有チャネルを送信する送信手段と、
物理下りリンク制御チャネルを受信する受信手段と、
を備え、
前記第１の情報は、前記第２の参照信号の配置に関する情報を含み、
前記第２の情報は、前記第３の参照信号の配置に関する情報を含み、
前記物理上りリンク共有チャネルは、前記物理下りリンク制御チャネルにより受信された下りリンク制御情報に基づいて送信され、
前記第１の参照信号は、前記下りリンク制御情報に基づいて決定されるリソースブロッ
ク内の一部のリソースエレメントに常に配置され、
前記第２の参照信号は、前記第１の情報に基づいて、前記リソースブロック内の前記第１の参照信号とは異なるリソースエレメントに配置され、
前記第３の参照信号は、前記第２の情報に基づいて、前記リソースブロック内の一部のリソースエレメントである第１のリソースエレメントに配置され、
前記第２の参照信号が配置されるリソースエレメントの位置と前記第１のリソースエレメントの位置とが同じである場合に、前記リソースエレメントに前記第３の参照信号がマップされない、集積回路。
【請求項８】
端末装置と通信する基地局装置に実装される集積回路であって、
前記端末装置との通信に用いられる第１の情報と第２の情報を受信する受信手段と、
物理下りリンク制御チャネルを送信する送信手段と、
第１の参照信号と、第２の参照信号と、第３の参照信号と、物理上りリンク共有チャネルを受信する受信手段と、
を備え、
前記第１の情報は、前記第２の参照信号の配置に関する情報を含み、
前記第２の情報は、前記第３の参照信号の配置に関する情報を含み、
前記物理上りリンク共有チャネルは、前記物理下りリンク制御チャネルにより送信された下りリンク制御情報に基づいて送信され、
前記第１の参照信号は、前記下りリンク制御情報に基づいて決定されるリソースブロック内の一部のリソースエレメントに常に配置され、
前記第２の参照信号は、前記第１の情報に基づいて、前記リソースブロック内の前記第１の参照信号とは異なるリソースエレメントに配置され、
前記第３の参照信号は、前記第２の情報に基づいて、前記リソースブロック内の一部のリソースエレメントである第１のリソースエレメントに配置され、
前記第２の参照信号が配置されるリソースエレメントの位置と前記第１のリソースエレメントの位置とが同じである場合に、前記リソースエレメントに前記第３の参照信号がマップされない、集積回路。
【発明の詳細な説明】
【技術分野】
【０００１】
本発明は、基地局装置、端末装置、通信方法、および、集積回路に関する。
【背景技術】
【０００２】
現在、第５世代のセルラーシステムに向けた無線アクセス方式および無線ネットワーク技術として、第三世代パートナーシッププロジェクト（3GPP: The Third Generation Partnership Project）において、LTE（Long Term Evolution）-Advanced Pro及びNR（New Radio technology）の技術検討及び規格策定が行われている（非特許文献１）。
【０００３】
第５世代のセルラーシステムでは、高速・大容量伝送を実現するeMBB（enhanced Mobile BroadBand）、低遅延・高信頼通信を実現するURLLC（Ultra-Reliable and Low Latency
Communication）、IoT（Internet of Things）などマシン型デバイスが多数接続するmMTC（massive Machine Type Communication）の3つがサービスの想定シナリオとして要求されている。
【０００４】
NRでは、高い周波数で通信するために、オシレータにより発生する位相雑音をトラックするための参照信号が検討されている。（非特許文献２）。
【先行技術文献】
【非特許文献】
【０００５】
【非特許文献１】RP-161214, NTT DOCOMO, “Revision of SI: Study on New Radio Access Technology”, 2016年6月
【非特許文献２】R1-1706676, Ericsson, Panasonic, Huawei, HiSilicon, NTT Docomo, “Merged WF on PT-RS structure”, 2017年4月
【発明の概要】
【発明が解決しようとする課題】
【０００６】
本発明の目的は、上記のような無線通信システムにおいて、基地局装置と端末装置が、効率的に端末装置、基地局装置、通信方法、および、集積回路を提供することを目的とする。
【課題を解決するための手段】
【０００７】
（１）上記の目的を達成するために、本発明の態様は、以下のような手段を講じた。すなわち、本発明の一態様における端末装置は、基地局装置と通信する端末装置であって、前記基地局装置との通信に用いられる第１の情報と第２の情報を受信する上位層処理部と、第１の参照信号と、第２の参照信号と、第３の参照信号と、物理上りリンク共有チャネルを送信する送信部と、物理下りリンク制御チャネルを受信する受信部と、を備え、前記第１の情報は、前記第２の参照信号の配置に関する情報を含み、前記第２の情報は、前記第３の参照信号の配置に関する情報を含み、前記物理上りリンク共有チャネルは、前記物理下りリンク制御チャネルにより受信された下りリンク制御情報に基づいて送信され、前記第１の参照信号は、前記下りリンク制御情報に基づいて決定されるリソースブロック内の一部のリソースエレメントに常に配置され、前記第２の参照信号は、前記第１の情報に基づいて、前記リソースブロック内の前記第１の参照信号とは異なるリソースエレメントに配置され、前記第３の参照信号は、前記第２の情報に基づいて、前記リソースブロック内の一部のリソースエレメントである第１のリソースエレメントに配置され、前記第２の参照信号が配置されるリソースエレメントの位置と前記第１のリソースエレメントの位置とが同じである場合に、前記リソースエレメントに前記第３の参照信号がマップされない
。
【０００８】
（２）また、本発明の一態様における端末装置において、前記第１のリソースエレメントとは異なるシンボル番号である第２のリソースエレメントに、前記第３の参照信号が配置されない場合に、前記第２のリソースエレメントに前記第３の参照信号がマップされる。
【０００９】
（３）また、本発明の一態様における基地局装置は、端末装置と通信する基地局装置であって、前記端末装置との通信に用いられる第１の情報と第２の情報を受信する上位層処理部と、物理下りリンク制御チャネルを送信する送信部と、第１の参照信号と、第２の参照信号と、第３の参照信号と、物理上りリンク共有チャネルを受信する受信部と、を備え、前記第１の情報は、前記第２の参照信号の配置に関する情報を含み、前記第２の情報は、前記第３の参照信号の配置に関する情報を含み、前記物理上りリンク共有チャネルは、前記物理下りリンク制御チャネルにより送信された下りリンク制御情報に基づいて送信され、前記第１の参照信号は、前記下りリンク制御情報に基づいて決定されるリソースブロック内の一部のリソースエレメントに常に配置され、前記第２の参照信号は、前記第１の情報に基づいて、前記リソースブロック内の前記第１の参照信号とは異なるリソースエレメントに配置され、前記第３の参照信号は、前記第２の情報に基づいて、前記リソースブロック内の一部のリソースエレメントである第１のリソースエレメントに配置され、前記第２の参照信号が配置されるリソースエレメントの位置と前記第１のリソースエレメントの位置とが同じである場合に、前記リソースエレメントに前記第３の参照信号がマップされない。
【００１０】
（４）また、本発明の一態様における基地局装置において、前記第１のリソースエレメントとは異なるシンボル番号である第２のリソースエレメントに、前記第３の参照信号が配置されない場合に、前記第２のリソースエレメントに前記第３の参照信号がマップされる。
【００１１】
（５）また、本発明の一態様における通信方法は、基地局装置と通信する端末装置の通信方法であって、前記基地局装置との通信に用いられる第１の情報と第２の情報を受信し、第１の参照信号と、第２の参照信号と、第３の参照信号と、物理上りリンク共有チャネルを送信し、物理下りリンク制御チャネルを受信し、前記第１の情報は、前記第２の参照信号の配置に関する情報を含み、前記第２の情報は、前記第３の参照信号の配置に関する情報を含み、前記物理上りリンク共有チャネルは、前記物理下りリンク制御チャネルにより受信された下りリンク制御情報に基づいて送信され、前記第１の参照信号は、前記下りリンク制御情報に基づいて決定されるリソースブロック内の一部のリソースエレメントに常に配置され、前記第２の参照信号は、前記第１の情報に基づいて、前記リソースブロック内の前記第１の参照信号とは異なるリソースエレメントに配置され、前記第３の参照信号は、前記第２の情報に基づいて、前記リソースブロック内の一部のリソースエレメントである第１のリソースエレメントに配置され、前記第２の参照信号が配置されるリソースエレメントの位置と前記第１のリソースエレメントの位置とが同じである場合に、前記リソースエレメントに前記第３の参照信号がマップされない。
【００１２】
（６）また、本発明の一態様における通信方法は、端末装置と通信する基地局装置の通信方法であって、前記端末装置との通信に用いられる第１の情報と第２の情報を受信し、物理下りリンク制御チャネルを送信し、第１の参照信号と、第２の参照信号と、第３の参照信号と、物理上りリンク共有チャネルを受信し、前記第１の情報は、前記第２の参照信号の配置に関する情報を含み、前記第２の情報は、前記第３の参照信号の配置に関する情報を含み、前記物理上りリンク共有チャネルは、前記物理下りリンク制御チャネルにより送信された下りリンク制御情報に基づいて送信され、前記第１の参照信号は、前記下りリン
ク制御情報に基づいて決定されるリソースブロック内の一部のリソースエレメントに常に配置され、前記第２の参照信号は、前記第１の情報に基づいて、前記リソースブロック内の前記第１の参照信号とは異なるリソースエレメントに配置され、前記第３の参照信号は、前記第２の情報に基づいて、前記リソースブロック内の一部のリソースエレメントである第１のリソースエレメントに配置され、前記第２の参照信号が配置されるリソースエレメントの位置と前記第１のリソースエレメントの位置とが同じである場合に、前記リソースエレメントに前記第３の参照信号がマップされない。
【００１３】
（７）また、本発明の一態様における集積回路は、基地局装置と通信する端末装置に実装される集積回路であって、前記基地局装置との通信に用いられる第１の情報と第２の情報を受信する受信手段と、第１の参照信号と、第２の参照信号と、第３の参照信号と、物理上りリンク共有チャネルを送信する送信手段と、物理下りリンク制御チャネルを受信する受信手段と、を備え、前記第１の情報は、前記第２の参照信号の配置に関する情報を含み、前記第２の情報は、前記第３の参照信号の配置に関する情報を含み、前記物理上りリンク共有チャネルは、前記物理下りリンク制御チャネルにより受信された下りリンク制御情報に基づいて送信され、前記第１の参照信号は、前記下りリンク制御情報に基づいて決定されるリソースブロック内の一部のリソースエレメントに常に配置され、前記第２の参照信号は、前記第１の情報に基づいて、前記リソースブロック内の前記第１の参照信号とは異なるリソースエレメントに配置され、前記第３の参照信号は、前記第２の情報に基づいて、前記リソースブロック内の一部のリソースエレメントである第１のリソースエレメントに配置され、前記第２の参照信号が配置されるリソースエレメントの位置と前記第１のリソースエレメントの位置とが同じである場合に、前記リソースエレメントに前記第３の参照信号がマップされない。
【００１４】
（８）また、本発明の一態様における集積回路は、端末装置と通信する基地局装置に実装される集積回路であって、前記端末装置との通信に用いられる第１の情報と第２の情報を受信する受信手段と、物理下りリンク制御チャネルを送信する送信手段と、第１の参照信号と、第２の参照信号と、第３の参照信号と、物理上りリンク共有チャネルを受信する受信手段と、を備え、前記第１の情報は、前記第２の参照信号の配置に関する情報を含み、前記第２の情報は、前記第３の参照信号の配置に関する情報を含み、前記物理上りリンク共有チャネルは、前記物理下りリンク制御チャネルにより送信された下りリンク制御情報に基づいて送信され、前記第１の参照信号は、前記下りリンク制御情報に基づいて決定されるリソースブロック内の一部のリソースエレメントに常に配置され、前記第２の参照信号は、前記第１の情報に基づいて、前記リソースブロック内の前記第１の参照信号とは異なるリソースエレメントに配置され、前記第３の参照信号は、前記第２の情報に基づいて、前記リソースブロック内の一部のリソースエレメントである第１のリソースエレメントに配置され、前記第２の参照信号が配置されるリソースエレメントの位置と前記第１のリソースエレメントの位置とが同じである場合に、前記リソースエレメントに前記第３の参照信号がマップされない。
【発明の効果】
【００１５】
この発明によれば、基地局装置と端末装置が、効率的に通信することができる。
【図面の簡単な説明】
【００１６】
【図１】本実施形態における無線通信システムの概念を示す図である。
【図２】本実施形態における下りリンクスロットの概略構成の一例を示す図である。
【図３】サブフレーム、スロット、ミニスロットの時間領域における関係を示した図である。
【図４】スロットまたはサブフレームの一例を示す図である。
【図５】ビームフォーミングの一例を示した図である。
【図６】本実施形態における端末装置１の構成を示す概略ブロック図である。
【図７】本実施形態における基地局装置３の構成を示す概略ブロック図である。
【図８】１リソースエレメントにマップされるＰＴＲＳの構成例を示す図である。
【図９】本実施形態におけるＰＴＲＳの時間密度の第一の設定例を示す図である。
【図１０】本実施形態におけるＰＴＲＳの時間密度の第二の設定例を示す図である。
【図１１】本実施形態におけるＭＣＳテーブルの一例を示す図である。
【図１２】本実施形態におけるＰＴＲＳの周波数密度の設定例を示す図である。
【図１３】本実施形態におけるＣＳＩ−ＲＳおよびＰＴＲＳの構成例を示す図である。
【図１４】本実施形態におけるＤＭＲＳとＰＴＲＳの第一の構成例を示す図である。
【図１５】本実施形態におけるＤＭＲＳとＰＴＲＳの第二の構成例を示す図である。
【図１６】本実施形態におけるＤＭＲＳとＰＴＲＳの第三の構成例を示す図である。
【発明を実施するための形態】
【００１７】
以下、本発明の実施形態について説明する。
【００１８】
図１は、本実施形態における無線通信システムの概念図である。図１において、無線通信システムは、端末装置１Ａ〜１Ｃ、および基地局装置３を具備する。以下、端末装置１Ａ〜１Ｃを端末装置１とも称する。
【００１９】
端末装置１は、ユーザ端末、移動局装置、通信端末、移動機、端末、ＵＥ（User Equipment）、ＭＳ（Mobile Station）とも称される。基地局装置３は、無線基地局装置、基地局、無線基地局、固定局、ＮＢ（Node B）、ｅＮＢ（evolved Node B）、ＢＴＳ（Base Transceiver Station）、ＢＳ（Base Station）、ＮＲ  ＮＢ（NR Node B）、ＮＮＢ、Ｔ
ＲＰ（Transmission and Reception Point）、ｇＮＢとも称される。
【００２０】
図１において、端末装置１と基地局装置３の間の無線通信では、サイクリックプレフィックス（CP: Cyclic Prefix）を含む直交周波数分割多重（OFDM: Orthogonal Frequency Division Multiplexing）、シングルキャリア周波数多重（SC-FDM: Single-Carrier Frequency Division Multiplexing）、離散フーリエ変換拡散ＯＦＤＭ（DFT-S-OFDM: Discrete Fourier Transform Spread OFDM）、マルチキャリア符号分割多重（MC-CDM: Multi-Carrier Code Division Multiplexing）が用いられてもよい。
【００２１】
また、図１において、端末装置１と基地局装置３の間の無線通信では、ユニバーサルフィルタマルチキャリア（UFMC: Universal-Filtered Multi-Carrier）、フィルタＯＦＤＭ（F-OFDM: Filtered OFDM）、窓関数が乗算されたＯＦＤＭ（Windowed OFDM）、フィルタバンクマルチキャリア（FBMC: Filter-Bank Multi-Carrier）が用いられてもよい。
【００２２】
なお、本実施形態ではＯＦＤＭを伝送方式としてＯＦＤＭシンボルで説明するが、上述の他の伝送方式の場合を用いた場合も本発明に含まれる。
【００２３】
また、図１において、端末装置１と基地局装置３の間の無線通信では、ＣＰを用いない、あるいはＣＰの代わりにゼロパディングをした上述の伝送方式が用いられてもよい。また、ＣＰやゼロパディングは前方と後方の両方に付加されてもよい。
【００２４】
図１において、端末装置１と基地局装置３の間の無線通信では、サイクリックプレフィックス（CP: Cyclic Prefix）を含む直交周波数分割多重（OFDM: Orthogonal Frequency Division Multiplexing）、シングルキャリア周波数多重（SC-FDM: Single-Carrier Frequency Division Multiplexing）、離散フーリエ変換拡散ＯＦＤＭ（DFT-S-OFDM: Discrete Fourier Transform Spread OFDM）、マルチキャリア符号分割多重（MC-CDM: Multi-Car
rier Code Division Multiplexing）が用いられてもよい。
【００２５】
図１において、端末装置１と基地局装置３の無線通信では、以下の物理チャネルが用いられる。
【００２６】
・ＰＢＣＨ（Physical Broadcast CHannel）
・ＰＤＣＣＨ（Physical Downlink Control CHannel）
・ＰＤＳＣＨ（Physical Downlink Shared CHannel）
・ＰＵＣＣＨ（Physical Uplink Control CHannel）
・ＰＵＳＣＨ（Physical Uplink Shared CHannel）
・ＰＲＡＣＨ（Physical Random Access CHannel）
【００２７】
ＰＢＣＨは、端末装置１が必要な重要なシステム情報を含む重要情報ブロック（MIB: Master Information Block、EIB: Essential Information Block、ＢＣＨ：Broadcast Channel）を報知するために用いられる。
【００２８】
また、ＰＢＣＨは、同期信号のブロック（ＳＳ／ＰＢＣＨブロックとも称する）の周期内の時間インデックスを報知するために用いられてよい。ここで、時間インデックスは、セル内の同期信号およびＰＢＣＨのインデックスを示す情報である。例えば、３つの送信ビームを用いてＳＳ／ＰＢＣＨブロックを送信する場合、予め定められた周期内または設定された周期内の時間順を示してよい。また、端末装置は、時間インデックスの違いを送信ビームの違いと認識してもよい。
【００２９】
ＰＤＣＣＨは、下りリンクの無線通信（基地局装置３から端末装置１への無線通信）において、下りリンク制御情報（Downlink Control Information: DCI）を送信するために
用いられる。ここで、下りリンク制御情報の送信に対して、１つまたは複数のＤＣＩ（ＤＣＩフォーマットと称してもよい）が定義される。すなわち、下りリンク制御情報に対するフィールドがＤＣＩとして定義され、情報ビットへマップされる。
【００３０】
例えば、ＤＣＩとして、ＰＤＣＣＨおよび／またはＰＤＳＣＨが含まれる下りリンクの送信期間、ギャップ、ＰＵＣＣＨおよび／またはＰＵＳＣＨ、ＳＲＳが含まれる上りリンクの送信期間を示す情報を含むＤＣＩが定義されてもよい。
【００３１】
例えば、ＤＣＩとして、スケジューリングされたＰＤＳＣＨの送信期間を示す情報を含むＤＣＩが定義されてもよい。
【００３２】
例えば、ＤＣＩとして、スケジューリングされたＰＵＳＣＨの送信期間を示す情報を含むＤＣＩが定義されてもよい。
【００３３】
例えば、ＤＣＩとして、スケジューリングされたＰＤＳＣＨに対するＨＡＲＱ−ＡＣＫを送信するタイミングを示す情報を含むＤＣＩが定義されてもよい。
【００３４】
例えば、ＤＣＩとして、スケジューリングされたＰＵＳＣＨに対するＨＡＲＱ−ＡＣＫを送信するタイミングを示す情報を含むＤＣＩが定義されてもよい。
【００３５】
例えば、ＤＣＩとして、１つのセルにおける１つの下りリンクの無線通信ＰＤＳＣＨ（１つの下りリンクトランスポートブロックの送信）のスケジューリングのために用いられるＤＣＩが定義されてもよい。
【００３６】
例えば、ＤＣＩとして、１つのセルにおける１つの上りリンクの無線通信ＰＵＳＣＨ
（１つの上りリンクトランスポートブロックの送信）のスケジューリングのために用いられるＤＣＩが定義されてもよい。
【００３７】
ここで、ＤＣＩには、ＰＵＳＣＨまたはＰＤＳＣＨのスケジューリングに関する情報が含まれる。ここで、下りリンクに対するＤＣＩを、下りリンクグラント（downlink grant）、または、下りリンクアサインメント（downlink assignment）とも称する。ここで、
上りリンクに対するＤＣＩを、上りリンクグラント（uplink grant）、または、上りリンクアサインメント（Uplink assignment）とも称する。
【００３８】
ＰＵＳＣＨは、上りリンクの無線通信（端末装置１から基地局装置３の無線通信）において、上りリンク制御情報（Uplink Control Information: UCI）を送信するために用い
られる。ここで、上りリンク制御情報には、下りリンクのチャネルの状態を示すために用いられるチャネル状態情報（CSI: Channel State Information）が含まれてもよい。また、上りリンク制御情報には、ＵＬ−ＳＣＨリソースを要求するために用いられるスケジューリング要求（SR: Scheduling Request）が含まれてもよい。また、上りリンク制御情報には、ＨＡＲＱ−ＡＣＫ（Hybrid Automatic Repeat request ACKnowledgement）が含ま
れてもよい。ＨＡＲＱ−ＡＣＫは、下りリンクデータ（Transport block, Medium Access
Control Protocol Data Unit: MAC PDU, Downlink-Shared Channel: DL-SCH）に対する
ＨＡＲＱ−ＡＣＫを示してもよい。
【００３９】
ＰＤＳＣＨは、媒介アクセス（MAC: Medium Access Control）層からの下りリンクデータ（DL-SCH: Downlink Shared CHannel）の送信に用いられる。また、下りリンクの場合
にはシステム情報（SI: System Information）やランダムアクセス応答（RAR: Random Access Response）などの送信にも用いられる。
【００４０】
ＰＵＳＣＨは、ＭＡＣ層からの上りリンクデータ（UL-SCH: Uplink Shared CHannel）
または上りリンクデータと共にＨＡＲＱ−ＡＣＫおよび／またはＣＳＩを送信するために用いられてもよい。また、ＣＳＩのみ、または、ＨＡＲＱ−ＡＣＫおよびＣＳＩのみを送信するために用いられてもよい。すなわち、ＵＣＩのみを送信するために用いられてもよい。
【００４１】
ここで、基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource
Control message、RRC information: Radio Resource Control informationとも称され
る）を送受信してもよい。また、基地局装置３と端末装置１は、ＭＡＣ（Medium Access Control）層において、ＭＡＣコントロールエレメントを送受信してもよい。ここで、Ｒ
ＲＣシグナリング、および／または、ＭＡＣコントロールエレメントを、上位層の信号（higher layer signaling）とも称する。
【００４２】
ＰＤＳＣＨまたはＰＵＳＣＨは、ＲＲＣシグナリング、および、ＭＡＣコントロールエレメントを送信するために用いられてもよい。ここで、ＰＤＳＣＨにおいて、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）で
あってもよい。すなわち、端末装置固有（ＵＥスペシフィック）の情報は、ある端末装置１に対して専用のシグナリングを用いて送信されてもよい。また、ＰＵＳＣＨは、上りリンクにおいてＵＥの能力（UE Capability）の送信に用いられてもよい。
【００４３】
図１において、下りリンクの無線通信では、以下の下りリンク物理信号が用いられる。
ここで、下りリンク物理信号は、上位層から出力された情報を送信するために使用されないが、物理層によって使用される。
・同期信号（Synchronization signal: SS）
・参照信号（Reference Signal: RS）
【００４４】
同期信号は、プライマリ同期信号（ＰＳＳ：Primary Synchronization Signal）およびセカンダリ同期信号（ＳＳＳ）を含んでよい。ＰＳＳとＳＳＳを用いてセルＩＤが検出されてよい。
【００４５】
同期信号は、端末装置１が下りリンクの周波数領域および時間領域の同期をとるために用いられる。ここで、同期信号は、端末装置１が基地局装置３によるプリコーディングまたはビームフォーミングにおけるプリコーディングまたはビームの選択に用いられて良い。なお、ビームは、送信または受信フィルタ設定と呼ばれてもよい。
【００４６】
参照信号は、端末装置１が物理チャネルの伝搬路補償を行うために用いられる。ここで、参照信号は、端末装置１が下りリンクのＣＳＩを算出するためにも用いられてよい。また、参照信号は、無線パラメータやサブキャリア間隔などのヌメロロジーやＦＦＴの窓同期などができる程度の細かい同期（Fine synchronization）に用いられて良い。
【００４７】
本実施形態において、以下の下りリンク参照信号のいずれか１つまたは複数が用いられる。
・ＤＭＲＳ（Demodulation Reference Signal）
・ＣＳＩ−ＲＳ（Channel State Information Reference Signal）
・ＰＴＲＳ（Phase Tracking Reference Signal）
・ＴＲＳ（Tracking Reference Signal）
【００４８】
ＤＭＲＳは、変調信号を復調するために使用される。なお、ＤＭＲＳには、ＰＢＣＨまたはＰＤＣＣＨを復調するための参照信号と、ＰＤＳＣＨを復調するための参照信号の２種類が定義されてもよいし、両方をＤＭＲＳと称してもよい。ＣＳＩ−ＲＳは、チャネル状態情報（ＣＳＩ：Channel State Information）の測定およびビームマネジメントに使
用される。ＰＴＲＳは、位相雑音に起因する周波数オフセットを保証する目的で、時間軸で位相をトラックするために使用される。ＴＲＳは、高速移動時におけるドップラーシフトを保証するために使用される。なお、ＴＲＳはＣＳＩ−ＲＳの１つの設定として用いられてよい。例えば、１ポートのＣＳＩ−ＲＳがＴＲＳとして無線リソースが設定されてもよい。
【００４９】
本実施形態において、以下の上りリンク参照信号のいずれか１つまたは複数が用いられる。
・ＤＭＲＳ（Demodulation Reference Signal）
・ＰＴＲＳ（Phase Tracking Reference Signal）
・ＳＲＳ（Sounding Reference Signal）
【００５０】
ＤＭＲＳは、変調信号を復調するために使用される。なお、ＤＭＲＳには、ＰＵＣＣＨを復調するための参照信号と、ＰＵＳＣＨを復調するための参照信号の２種類が定義されてもよいし、両方をＤＭＲＳと称してもよい。ＳＲＳは、上りリンクチャネル状態情報（ＣＳＩ：Channel State Information）の測定、チャネルサウンディング、およびビーム
マネジメントに使用される。ＰＴＲＳは、位相雑音に起因する周波数オフセットを保証する目的で、時間軸で位相をトラックするために使用される。
【００５１】
ここで、上りリンクの伝送方式（波形）がＣＰ−ＯＦＤＭの場合には、上りリンクのＰ
Ｔ−ＲＳと同じ設定が用いられてもよいし、個別に設定されてよい。また、上りリンクの伝送方式（波形）の場合には、上りリンクＰＴ−ＲＳを送信する際に、Ｋシンボルの連続するサンプルを１つの単位（Ｋシンボルの連続するサンプルをチャンクと称してよい）としてＰＴ−ＲＳシンボルを挿入（配置）し、複数のチャンクを離散的に配置した後にトランスフォームプレコーディング（例えば、ＤＦＴ）を適用してもよい。Ｋの値は、１または２、４などでよいし、ＲＲＣシグナリング、ＭＡＣ  ＣＥ、ＤＣＩにより指示されてもよい。
【００５２】
下りリンク物理チャネルおよび／または下りリンク物理シグナルを総称して、下りリンク信号と称する。上りリンク物理チャネルおよび／または上りリンク物理シグナルを総称して、上りリンク信号と称する。下りリンク物理チャネルおよび／または上りリンク物理チャネルを総称して、物理チャネルと称する。下りリンク物理シグナルおよび／または上りリンク物理シグナルを総称して、物理シグナルと称する。
【００５３】
ＢＣＨ、ＵＬ−ＳＣＨおよびＤＬ−ＳＣＨは、トランスポートチャネルである。媒体アクセス制御（ＭＡＣ：Medium Access Control）層で用いられるチャネルをトランスポー
トチャネルと称する。ＭＡＣ層で用いられるトランスポートチャネルの単位を、トランスポートブロック（ＴＢ：transport block）および／またはＭＡＣ  ＰＤＵ（Protocol Data Unit）とも称する。ＭＡＣ層においてトランスポートブロック毎にＨＡＲＱ（Hybrid Automatic Repeat reQuest）の制御が行われる。トランスポートブロックは、ＭＡＣ層が物理層に渡す（deliver）データの単位である。物理層において、トランスポートブロッ
クはコードワードにマップされ、コードワード毎に符号化処理が行われる。
【００５４】
また、参照信号は、無線リソース測定（ＲＲＭ：Radio Resource Measurement）に用いられてよい。また、参照信号は、ビームマネジメントに用いられてよい。
【００５５】
ビームマネジメントは、送信装置（下りリンクの場合は基地局装置３であり、上りリンクの場合は端末装置１である）におけるアナログおよび／またはディジタルビームと、受信装置（下りリンクの場合は端末装置１、上りリンクの場合は基地局装置３である）におけるアナログおよび／またはディジタルビームの指向性を合わせ、ビーム利得を獲得するための基地局装置３および／または端末装置１の手続きであってよい。
【００５６】
なお、ビームペアリンクを構成、設定または確立する手続きとして、下記の手続きを含んでよい。
・ビーム選択（Beam selection）
・ビーム改善（Beam refinement）
・ビームリカバリ（Beam recovery）
【００５７】
例えば、ビーム選択は、基地局装置３と端末装置１の間の通信においてビームを選択する手続きであってよい。また、ビーム改善は、さらに利得の高いビームの選択、あるいは端末装置１の移動によって最適な基地局装置３と端末装置１の間のビームの変更をする手続きであってよい。ビームリカバリは、基地局装置３と端末装置１の間の通信において遮蔽物や人の通過などにより生じるブロッケージにより通信リンクの品質が低下した際にビームを再選択する手続きであってよい。
【００５８】
ビームマネジメントには、ビーム選択、ビーム改善が含まれてよい。ビームリカバリには、下記の手続きを含んでよい。
・ビーム失敗（beam failure）の検出
・新しいビームの発見
・ビームリカバリリクエストの送信
・ビームリカバリリクエストに対する応答のモニタ
【００５９】
例えば、端末装置１における基地局装置３の送信ビームを選択する際にＣＳＩ−ＲＳまたはＳＳ／ＰＢＣＨブロックに含まれるＳＳＳのＲＳＲＰ（Reference Signal Received Power）を用いてもよいし、ＣＳＩを用いてもよい。また、基地局装置３への報告として
ＣＳＩ−ＲＳリソースインデックス（ＣＲＩ：CSI-RS Resource Index）を用いてもよい
し、ＳＳ／ＰＢＣＨブロックに含まれるＰＢＣＨで報知される時間インデックスを用いてもよい。
【００６０】
また、基地局装置３は、端末装置１へビームを指示する際にＣＲＩまたはＳＳ／ＰＢＣＨの時間インデックスを指示し、端末装置１は、指示されたＣＲＩまたはＳＳ／ＰＢＣＨの時間インデックスに基づいて受信する。このとき、端末装置１は指示されたＣＲＩまたはＳＳ／ＰＢＣＨの時間インデックスに基づいて空間フィルタを設定し、受信してよい。また、端末装置１は、疑似同位置（ＱＣＬ：Quasi-Co-Location）の想定を用いて受信し
てもよい。
【００６１】
もしあるアンテナポートにおけるあるシンボルが搬送されるチャネルの長区間特性（Long Term Property）が他方のアンテナポートにおけるあるシンボルが搬送されるチャネルから推論されうるなら、２つのアンテナポートはＱＣＬであるといわれる。チャネルの長区間特性は、遅延スプレッド、ドップラースプレッド、ドップラーシフト、平均利得、及び平均遅延の１つまたは複数を含む。例えば、アンテナポート１とアンテナポート２が平均遅延に関してＱＣＬである場合、アンテナポート１の受信タイミングからアンテナポート２の受信タイミングが推論されうることを意味する。
【００６２】
このＱＣＬは、ビームマネジメントにも拡張されうる。そのために、空間に拡張したＱＣＬが新たに定義されてもよい。例えば、空間のＱＣＬ想定におけるチャネルの長区間特性（Long term property）として、無線リンクあるいはチャネルにおける到来角（AoA（Angle of Arrival）, ZoA（Zenith angle of Arrival）など）および／または角度広がり
（Angle Spread、例えばASA（Angle Spread of Arrival）やZSA（Zenith angle Spread of Arrival））、送出角（AoD, ZoDなど）やその角度広がり（Angle Spread、例えばASD（Angle Spread of Departure）やZSS（Zenith angle Spread of Departure））、空間相関（Spatial Correlation）、受信空間パラメータであってもよい。
【００６３】
例えば、アンテナポート１とアンテナポート２の間で受信空間パラメータに関してＱＣＬであるとみなせる場合、アンテナポート１からの信号を受信する受信ビーム（空間フィルタ）からアンテナポート２からの信号を受信する受信ビームが推論されうることを意味する。
【００６４】
この方法により、ビームマネジメントおよびビーム指示／報告として、空間のＱＣＬ想定と無線リソース（時間および／または周波数）によりビームマネジメントと等価な基地局装置３、端末装置１の動作が定義されてもよい。
【００６５】
以下、サブフレームについて説明する。本実施形態ではサブフレームと称するが、リソースユニット、無線フレーム、時間区間、時間間隔などと称されてもよい。
【００６６】
図２は、本発明の第１の実施形態に係る下りリンクスロットの概略構成の一例を示す図である。無線フレームのそれぞれは、１０ｍｓ長である。また、無線フレームのそれぞれは１０個のサブフレームおよびＷ個のスロットから構成される。また、１スロットは、Ｘ個のＯＦＤＭシンボルで構成される。つまり、１サブフレームの長さは１ｍｓである。スロットのそれぞれは、サブキャリア間隔によって時間長が定義される。例えば、ＯＦＤＭ
シンボルのサブキャリア間隔が１５ｋＨｚ、ＮＣＰ（Normal Cyclic Prefix）の場合、Ｘ＝７あるいはＸ＝１４であり、それぞれ０．５ｍｓおよび１ｍｓである。また、サブキャリア間隔が６０ｋＨｚの場合は、Ｘ＝７あるいはＸ＝１４であり、それぞれ０．１２５ｍｓおよび０．２５ｍｓである。また、例えば、Ｘ＝１４の場合、サブキャリア間隔が１５ｋＨｚの場合はＷ＝１０であり、サブキャリア間隔が６０ｋＨｚの場合はＷ＝４０である。図２は、Ｘ＝７の場合を一例として示している。なお、Ｘ＝１４の場合にも同様に拡張できる。また、上りリンクスロットも同様に定義され、下りリンクスロットと上りリンクスロットは別々に定義されてもよい。また、図２のセルの帯域幅は帯域の一部（ＢＷＰ：BandWidth Part）として定義されてもよい。また、スロットは、送信時間間隔（ＴＴＩ：Transmission Time Interval）と定義されてもよい。スロットは、送信時間間隔（ＴＴＩ：Transmission Time Interval）として定義されなくてもよい。送信時間間隔（ＴＴＩ：Transmission Time Interval）は、トランスポートブロックの送信期間であってもよい。
【００６７】
スロットのそれぞれにおいて送信される信号または物理チャネルは、リソースグリッドによって表現されてよい。リソースグリッドは、複数のサブキャリアと複数のＯＦＤＭシンボルによって定義される。1つのスロットを構成するサブキャリアの数は、セルの下り
リンクおよび上りリンクの帯域幅にそれぞれ依存する。リソースグリッド内のエレメントのそれぞれをリソースエレメントと称する。リソースエレメントは、サブキャリアの番号とＯＦＤＭシンボルの番号とを用いて識別されてよい。
【００６８】
リソースブロックは、ある物理下りリンクチャネル（ＰＤＳＣＨなど）あるいは上りリンクチャネル（ＰＵＳＣＨなど）のリソースエレメントのマッピングを表現するために用いられる。リソースブロックは、仮想リソースブロックと物理リソースブロックが定義される。ある物理上りリンクチャネルは、まず仮想リソースブロックにマップされる。その後、仮想リソースブロックは、物理リソースブロックにマップされる。スロットに含まれるＯＦＤＭシンボル数Ｘ＝７で、ＮＣＰの場合には、１つの物理リソースブロックは、時間領域において７個の連続するＯＦＤＭシンボルと周波数領域において12個の連続するサブキャリアとから定義される。つまり、１つの物理リソースブロックは、（7×12）個の
リソースエレメントから構成される。ＥＣＰ（Extended CP）の場合、１つの物理リソー
スブロックは、例えば、時間領域において６個の連続するOFDMシンボルと、周波数領域において12個の連続するサブキャリアとにより定義される。つまり、1つの物理リソースブ
ロックは、（6×12）個のリソースエレメントから構成される。このとき、1つの物理リソースブロックは、時間領域において１つのスロットに対応し、１５ｋＨｚのサブキャリア間隔の場合、周波数領域において１８０ｋＨｚ（６０ｋＨｚの場合には７２０ｋＨｚ）に対応する。物理リソースブロックは、周波数領域において０から番号が付けられている。
【００６９】
次に、サブキャリア間隔設定μについて説明する。ＮＲでは、複数のＯＦＤＭヌメロロジーがサポートされる。あるBWPにおいて、サブキャリア間隔設定μ（μ＝０，１，．．
．，５）と、サイクリックプレフィックス長は、下りリンクのBWPに対して上位レイヤで
与えられ、上りリンクのBWPにおいて上位レイヤで与えられる。ここで、μが与えられる
と、サブキャリア間隔Δｆは、Δｆ＝２＾μ・１５（ｋＨｚ）で与えられる。
【００７０】
サブキャリア間隔設定μにおいて、スロットは、サブフレーム内で０からＮ^{subframe,μ}_{slot}-1に昇順に数えられ、フレーム内で０からＮ^{frame,μ}_{slot}-1に昇順に
数えられる。スロット設定およびサイクリックプレフィックスに基づいてN^{slot}_{symb}の連続するＯＦＤＭシンボルがスロット内にある。N^{slot}_{symb}は７または１４である。サブフレーム内のスロットｎ^{μ}_{s}のスタートは、同じサブフレーム内のｎ^{μ}_{s} N^{slot}_{symb}番目のＯＦＤＭシンボルのスタートと時間でアラインされている。
【００７１】
次に、サブフレーム、スロット、ミニスロットについて説明する。図３は、サブフレー
ム、スロット、ミニスロットの時間領域における関係を示した図である。同図のように、３種類の時間ユニットが定義される。サブフレームは、サブキャリア間隔によらず１ｍｓであり、スロットに含まれるＯＦＤＭシンボル数は７または１４であり、スロット長はサブキャリア間隔により異なる。ここで、サブキャリア間隔が１５ｋＨｚの場合、１サブフレームには１４ＯＦＤＭシンボルが含まれる。
【００７２】
ミニスロット（サブスロットと称されてもよい）は、スロットに含まれるＯＦＤＭシンボル数よりも少ないＯＦＤＭシンボルで構成される時間ユニットである。同図はミニスロットが２ＯＦＤＭシンボルで構成される場合を一例として示している。ミニスロット内のＯＦＤＭシンボルは、スロットを構成するＯＦＤＭシンボルタイミングに一致してもよい。なお、スケジューリングの最小単位はスロットまたはミニスロットでよい。また、ミニスロットを割り当てることを、ノンスロットベースのスケジューリングと称してもよい。また、ミニスロットをスケジューリングされることを参照信号とデータのスタート位置の相対的な時間位置が固定であるリソースがスケジュールされたと表現されてもよい。
【００７３】
図４は、スロットまたはサブフレームの一例を示す図である。ここでは、サブキャリア間隔１５ｋＨｚにおいてスロット長が０．５ｍｓの場合を例として示している。同図において、Ｄは下りリンク、Ｕは上りリンクを示している。同図に示されるように、ある時間区間内（例えば、システムにおいて１つのＵＥに対して割り当てなければならない最小の時間区間）においては、
・下りリンクパート（デュレーション）
・ギャップ
・上りリンクパート（デュレーション）
のうち１つまたは複数を含んでよい。なお、これらの割合はスロットフォーマットとして予め定められてもよい。また、スロット内に含まれる下りリンクのＯＦＤＭシンボル数またはスロット内のスタート位置および終了位置で定義されてもよい。また、スロット内に含まれる上りリンクのＯＦＤＭシンボルまたはＤＦＴ−Ｓ−ＯＦＤＭシンボル数またはスロット内のスタート位置および終了位置で定義されてよい。なお、スロットをスケジューリングされることを参照信号とスロット境界の相対的な時間位置が固定であるリソースがスケジュールされたと表現されてもよい。
【００７４】
図４（ａ）は、ある時間区間（例えば、１ＵＥに割当可能な時間リソースの最小単位、またはタイムユニットなどとも称されてよい。また、時間リソースの最小単位を複数束ねてタイムユニットと称されてもよい。）で、全て下りリンク送信に用いられている例であり、図４（ｂ）は、最初の時間リソースで例えばＰＤＣＣHを介して上りリンクのスケジ
ューリングを行い、ＰＤＣＣＨの処理遅延及び下りから上りの切り替え時間、送信信号の生成のためのギャップを介して上りリンク信号を送信する。図４（ｃ）は、最初の時間リソースでＰＤＣＣＨおよび／または下りリンクのＰＤＳＣＨの送信に用いられ、処理遅延及び下りから上りの切り替え時間、送信信号の生成のためのギャップを介してＰＵＳＣＨまたはＰＵＣＣＨの送信に用いられる。ここで、一例としては、上りリンク信号はＨＡＲＱ−ＡＣＫおよび／またはＣＳＩ、すなわちＵＣＩの送信に用いられてよい。図４（ｄ）は、最初の時間リソースでＰＤＣＣＨおよび／またはＰＤＳＣＨの送信に用いられ、処理遅延及び下りから上りの切り替え時間、送信信号の生成のためのギャップを介して上りリンクのＰＵＳＣＨおよび／またはＰＵＣＣＨの送信に用いられる。ここで、一例としては、上りリンク信号は上りリンクデータ、すなわちＵＬ−ＳＣＨの送信に用いられてもよい。図４（ｅ）は、全て上りリンク送信（ＰＵＳＣＨまたはＰＵＣＣＨ）に用いられている例である。
【００７５】
上述の下りリンクパート、上りリンクパートは、ＬＴＥと同様複数のＯＦＤＭシンボルで構成されてよい。
【００７６】
図５は、ビームフォーミングの一例を示した図である。複数のアンテナエレメントは１つの送信ユニット（TXRU: Transceiver unit）１０に接続され、アンテナエレメント毎の位相シフタ１１によって位相を制御し、アンテナエレメント１２から送信することで送信信号に対して任意の方向にビームを向けることができる。典型的には、ＴＸＲＵがアンテナポートとして定義されてよく、端末装置１においてはアンテナポートのみが定義されてよい。位相シフタ１１を制御することで任意の方向に指向性を向けることができるため、基地局装置３は端末装置１に対して利得の高いビームを用いて通信することができる。  
【００７７】
図８は、１リソースエレメントにマップされるＰＴＲＳの構成例を示す図である。図８において、各図（図８−１から図８−９）は、１リソースエレメントにマップされるＰＴＲＳの構成例である。図８−１から図８−９において、斜線でハッチングされた箇所はＰＴＲＳがマップされるリソースエレメントであり、それ以外の箇所はＰＴＲＳ以外（データ、ＤＭＲＳ、ＣＳＩ−ＲＳ、またはＳＲＳ等）がマップされるリソースエレメントである。なお、図８は、一例として、シンボル数Ｘが７である場合を示しているが、シンボル数Ｘが７以外の場合においても同様に拡張できる。
【００７８】
図８において、図８−１から図８−９はそれぞれパターン１からパターン９と定義され、例えば、図８−１はパターン１、図８−２はパターン２、図８−５はパターン５と定義される。パターン１からパターン３は時間方向に連続してＰＴＲＳが配置される例、パターン４からパターン６は時間方向に１つおきにＰＴＲＳが配置される例、パターン７からパターン９は時間方向に２つおきに配置される例である。なお、ＰＴＲＳは、図８に限定されず、時間方向に２つ以上空けて配置されてもよいし、周波数方向の間隔およびサブキャリア位置についても図８に限定されない。また、ＰＴＲＳは、図８に示すパターンのうち１つのパターンが定義されてもよいし、複数のパターンが定義されてもよい。なお、図８のように予めＰＴＲＳの配置パターンが設定され、パターン番号に基づいてＰＴＲＳが生成されてもよいし、ＰＴＲＳが配置される位置を指定することによってＰＴＲＳが生成されてもよい。
【００７９】
ここで、端末装置１は、ＰＴＲＳがマップされたリソースエレメントにＰＵＳＣＨの信号がマップされなくてもよい。つまり、ＰＵＳＣＨの信号がマップされない場合には、ＰＴＲＳがマップされたリソースエレメントがＰＵＳＣＨの信号を配置できるリソースエレメントとしないレートマッチが適用されてもよい。また、ＰＴＲＳがマップされたリソースエレメントにＰＵＳＣＨの信号を配置するが、ＰＴＲＳで上書きしてもよい。この場合、基地局装置３は、ＰＴＲＳが配置されたリソースエレメントにデータが配置されているとみなして復調処理をしてもよい。
【００８０】
ＰＴＲＳは、周波数バンドによって異なるＰＴＲＳが生成されてもよい。また、位相回転の影響を受けにくい低い周波数バンドではＰＴＲＳがマップされるリソースエレメントの数を少なくし、位相回転の影響を受けやすい高い周波数バンドではＰＴＲＳがマップされるリソースエレメントの数を多くしてもよい。例えば、周波数バンドが４ＧＨｚの場合にはパターン７が設定され、周波数バンドが４０ＧＨｚの場合にはパターン２が設定される等、周波数バンド毎にＰＴＲＳを設定してもよい。例えば、周波数バンドが４ＧＨｚの場合にはパターン２が設定され、周波数バンドが４０ＧＨｚの場合にはパターン３が設定される等、周波数バンド毎にＰＴＲＳを設定してもよい。例えば、周波数バンドが４ＧＨｚの場合にはパターン５が設定され、周波数バンドが４０ＧＨｚの場合にはパターン２が設定される等、周波数バンド毎にＰＴＲＳを設定してもよい。このように、位相回転の影響を強く受けやすい高い周波数バンドにおいて、ＰＴＲＳがマップされるリソースエレメントの数を多くすることにより、位相トラッキングの性能を向上させることができる。また、位相回転の影響が比較的少ないと考えられる低い周波数バンドにおいて、ＰＴＲＳが
マップされるリソースエレメントの数を少なくすることにより、位相トラッキングの性能を保ちつつ、ＰＴＲＳによるオーバヘッドを減らすことができる。なお、低い周波数バンドのうち、位相回転の影響が問題とならない周波数バンドにおいては、ＰＴＲＳをマップしなくてもよい。
【００８１】
ここで、ＰＴＲＳのパターンを設定する場合、端末装置１は、スケジューリング帯域幅に応じて周波数方向のＰＴＲＳの数を増やしてよい。例えば、１リソースブロック内の５番目のサブキャリアにＰＴＲＳがマップされる場合、スケジューリング、すなわち、物理下りリンク制御チャネルで送信される下りリンク制御情報（ＤＣＩ：Downlink Control Information）に基づいて割り当てられたリソースブロック数に比例して周波数軸のＰＴＲＳが含まれるサブキャリア数が増えてもよい。また、リソースブロック内の周波数軸のＰＴＲＳが含まれるサブキャリア数は、周波数バンドによって決定されてもよい。また、周波数方向のＰＴＲＳの密度に関してはＲＲＣやＭＡＣ  ＣＥ、ＤＣＩにより設定または活性化または指示されてもよい。周波数軸のＰＴＲＳの密度は、リソースブロック内に含まれるＰＴＲＳが含まれるリソースエレメント数、またはサブキャリア数により定義されてよい。
【００８２】
また、時間方向のＰＴＲＳの密度に関しては周波数バンドによって決定されてよい。例えば、周波数バンドが４ＧＨｚの場合には、パターン７に基づいてＰＴＲＳを送信し、３０ＧＨｚの場合には、パターン１で送信してもよい。例えば、周波数バンドが４ＧＨｚの場合には、パターン９に基づいてＰＴＲＳを送信し、３０ＧＨｚの場合には、パターン６で送信してもよい。また、時間方向のＰＴＲＳの密度に関してはＲＲＣやＭＡＣ、ＤＣＩにより設定または活性化または指示されてもよい。時間軸の密度は、リソースブロック内に含まれるＰＴＲＳが含まれるリソースエレメント数、またはスロット内のＯＦＤＭシンボル数、またはサブフレーム内のＯＦＤＭシンボル数により定義されてよい。
【００８３】
ＰＴＲＳは、ＭＣＳや変調方式によって異なるＰＴＲＳが生成されてもよい。変調多値数が高い場合にＰＴＲＳがマップされるリソースエレメントの数を多くし、変調多値数が低い場合にＰＴＲＳがマップされるリソースエレメントの数を少なくしてもよい。例えば、変調方式が２５６ＱＡＭの場合にパターン３が設定され、変調方式が１６ＱＡＭの場合にパターン１が設定される等、変調方式毎にＰＴＲＳを設定してもよい。例えば、変調方式が２５６ＱＡＭの場合にパターン１が設定され、変調方式が１６ＱＡＭの場合にパターン４が設定される等、変調方式毎にＰＴＲＳを設定してもよい。このように、変調多値数が高い場合にＰＴＲＳがマップされるリソースエレメントの数を多くすることにより、位相トラッキングの性能を向上させることができる。また、変調多値数が低い場合にＰＴＲＳの数を少なくすることにより、位相トラッキングの性能を保ちつつ、ＰＴＲＳによるオーバヘッドを減らすことができる。なお、変調多値数が低く、位相回転の影響が問題とならないと考えられる場合は、ＰＴＲＳをマップしなくてもよい。
【００８４】
ＰＴＲＳは、無線伝送方式毎に設定されてもよい。無線伝送方式がＤＦＴＳ−ＯＦＤＭの場合とＣＰ−ＯＦＤＭの場合とで、ＰＴＲＳがマップされるリソースエレメントの数が同じになるように設定されてもよいし、異なる数となるように設定されてもよい。例えば、ＤＦＴＳ−ＯＦＤＭの場合とＣＰ−ＯＦＤＭの場合とで同じパターンが選択されてもよい。また、ＤＦＴＳ−ＯＦＤＭの場合にパターン１が設定され、ＣＰ−ＯＦＤＭの場合にパターン１０が設定されてもよく、パターンは異なるが、ＰＴＲＳの数が同じ数になるようにしてもよい。このように、ＤＦＴＳ−ＯＦＤＭの場合のＰＴＲＳがマップされるリソースエレメントの数とＣＰ−ＯＦＤＭの場合のＰＴＲＳがマップされるリソースエレメントの数とを同じにすることにより、ＰＴＲＳを生成するための処理負担を同等にすることができる。また、ＤＦＴＳ−ＯＦＤＭの場合のＰＴＲＳの数は、ＣＰ−ＯＦＤＭの場合のＰＴＲＳの数よりも多くなるように設定されてもよい。例えば、ＤＦＴＳ−ＯＦＤＭの場
合にパターン２が設定され、ＣＰ−ＯＦＤＭの場合にパターン１が設定されてもよいし、ＤＦＴＳ−ＯＦＤＭの場合にパターン１が設定され、ＣＰ−ＯＦＤＭの場合にパターン４が設定されてもよい。このように、ＤＦＴＳ−ＯＦＤＭの場合のＰＴＲＳがマップされるリソースエレメントの数とＣＰ−ＯＦＤＭの場合のＰＴＲＳがマップされるリソースエレメントの数とを異なる数に設定することにより、伝送方式の特性に適した位相トラッキングを設定することができる。
【００８５】
ＤＦＴＳ−ＯＦＤＭの場合、ＰＴＲＳシンボルをＤＦＴに入力する前の特定の時間位置に挿入してもよい。例えば、周波数ファーストでリソースエレメントにマッピングされ、スケジューリングされたＰＲＢ数が４（＝６０変調シンボル）の場合、各ＤＦＴＳ−ＯＦＤＭシンボルを生成する際のＤＦＴに入力する時間シンボルの６、１８（＝１２＋６）、３０（１２＊２＋６）、４２（１２＊３＋６）番目のシンボルにＰＴＲＳとしてＤＦＴ拡散してよい。また、時間ファーストでリソースエレメントにマッピングされ、最初のＸシンボルにＰＴＲＳを挿入してＤＦＴ拡散してよい。スロット内の特定のＤＦＴＳ−ＯＦＤＭシンボル内のＸシンボルにＰＴＲＳを挿入してＤＦＴ拡散してよい。Ｘはスロット内に含まれるＤＦＴＳ−ＯＦＤＭシンボル数でもよい。また、ＤＦＴの前の特定のパターンでＰＴＲＳシンボルがマップされてもよい。また、ＤＦＴ拡散の後に、ＰＴＲＳを時間および／または周波数に配置してもよい。
【００８６】
ＰＴＲＳは、端末装置の移動速度を考慮して設定されてもよい。移動速度が高速の場合にはＰＴＲＳがマップされるリソースエレメントの数を多くし、移動速度が低速の場合にはＰＴＲＳがマップされるリソースエレメントの数を少なくしてもよい。例えば、移動速度が高速の場合にパターン３が設定され、移動速度が低速の場合にパターン７が設定される等、移動速度を考慮してＰＴＲＳを設定してもよい。例えば、移動速度が高速の場合にパターン３が設定され、移動速度が低速の場合にパターン１が設定される等、移動速度を考慮してＰＴＲＳを設定してもよい。例えば、移動速度が高速の場合にパターン２が設定され、移動速度が低速の場合にパターン８が設定される等、移動速度を考慮してＰＴＲＳを設定してもよい。これにより、移動速度を考慮して適切に位相トラッキングを行うことができる。
【００８７】
ＰＴＲＳのパターンは、ＰＴＲＳが配置される位置（例えば、サブキャリア番号（インデックス）および／または時間シンボル番号（インデックス））で定義されてもよい。また、予めＰＴＲＳのパターンとインデックスとを対応づけておき、ＰＴＲＳのパターンはインデックスによって設定されてもよい。
【００８８】
また、ＰＴＲＳのパターンは、ＰＴＲＳが配置される密度で定義されてもよい。ＰＴＲＳが配置される密度は、時間密度（Time density）と周波数密度（Frequency density）
とがそれぞれ定義されてもよい。時間密度は、連続、１つの時間シンボルおき、複数の時間シンボルおき、１リソースブロック内の時間シンボル数に対するＰＴＲＳの割合などである。周波数密度は連続、１サブキャリアおき、複数のサブキャリアおき、１リソースブロック内のサブキャリア数に対するＰＴＲＳの割合などである。
【００８９】
また、ＰＴＲＳのパターンは、ＰＴＲＳが配置される位置とＰＴＲＳが配置される密度の組み合わせ（例えば、サブキャリア番号と時間密度の組み合わせ）で定義されてもよい。
【００９０】
なお、ＰＴＲＳのパターンおよび／またはＰＴＲＳの密度は、複数の条件を用いて設定されてもよい。複数の条件とは、周波数バンド、スケジューリング帯域幅、ＭＣＳや変調方式、無線伝送方式および／または端末装置の移動速度、サブキャリア間隔等である。ＰＴＲＳのパターンおよび／またはＰＴＲＳの密度は、複数の条件の中から１つまたは複数
選択されてもよい。
【００９１】
例えば、ＰＴＲＳは、無線伝送方式および周波数バンドに基づいて設定されてもよいし、無線伝送方式、周波数バンドおよび変調方式に基づいて設定されてもよい。なお、無線伝送方式毎にＰＴＲＳのパターンを定義してもよい。例えば、ＤＦＴＳ−ＯＦＤＭの場合、ＰＴＲＳのパターンはパターン１、パターン２およびパターン３が定義され、ＣＰ−ＯＦＤＭの場合、ＰＴＲＳのパターンはパターン４、パターン５、パターン６が定義されてもよい。そして、４０ＧＨｚの周波数バンドにおいてＤＦＴＳ−ＯＦＤＭ方式で伝送を行う場合、ＰＴＲＳは周波数バンドに基づいて、パターン１、パターン２およびパターン３から選択されてもよい。また、ＤＦＴＳ−ＯＦＤＭの場合は、周波数位置が下から３番目のサブキャリアにＰＴＲＳが配置されるパターン（例えば、パターン１、パターン４およびパターン６）が定義され、ＣＰ−ＯＦＤＭの場合は、周波数位置が下から５番目のサブキャリアにＰＴＲＳが配置されるパターンとなるように定義されてもよい。
【００９２】
なお、無線伝送方式は、ＲＲＣやＭＡＣ、ＤＣＩにより設定または活性化または指示されてもよい。これにより、端末装置１は、基地局装置３から通知された無線伝送方式を考慮してＰＴＲＳをマップしてもよい。
【００９３】
図９は、本実施形態におけるＰＴＲＳの時間密度の第一の設定例を示す図である。図９は、スケジュールされたＭＣＳとＰＴＲＳの時間密度との関係を示すテーブルである。図９において、ＭＣＳはスケジュールされたＭＣＳインデックスを表す。例えば、スケジュールされたＭＣＳインデックスが５の場合、ＭＣＳ＝５となる。また、図９において、ＭＣＳ１からＭＣＳ４はＭＣＳスレショルドを表す。例えば、ＭＣＳ１＝１０、ＭＣＳ２＝１７、ＭＣＳ３＝２３、ＭＣＳ４＝２９と設定されてもよい。また、図９において、Ｎｏ
ＰＴＲＳはリソースエレメントにＰＴＲＳが配置されないことを表す。また、図９において、ＴＤ１からＴＤ３は時間密度を表し、例えば、ＴＤ１＝１／４、ＴＤ２＝１／２、ＴＤ３＝１と設定されてもよい。ここで、時間密度は、１リソースブロック内の時間シンボル数に対するＰＴＲＳの割合と解釈されてもよい。
【００９４】
なお、図９において、ＭＣＳスレショルドおよび時間密度の値は一例であり、これらの値に限定されない。また、図９は、４種類の時間密度が設定されるテーブルの例であるが、図９に限定されず、３種類の時間密度でもよいし、他の数でもよい。また、時間密度にＮｏ  ＰＴＲＳの場合が含まれなくてもよい。
【００９５】
図１０は、本実施形態におけるＰＴＲＳの時間密度の第二の設定例を示す図である。図１０は、複数の時間密度のテーブルが設定される場合の例である。図１０−１および図１０−２において、ＭＣＳ５からＭＣＳ１１はＭＣＳスレショルドを表し、ＴＤ４からＴＤ８は時間密度を表す。時間密度のテーブルは、サブキャリア間隔毎にテーブルが設定されてもよく、例えば、サブキャリア間隔が６０ｋＨｚの場合に図１０−１が設定され、サブキャリア間隔が１２０ｋＨｚの場合に図１０−２が設定されてもよい。また、上記の複数の条件毎にテーブルが設定されてもよい。なお、図１０において、ＭＣＳスレショルド、時間密度、テーブルの種類およびテーブルの数は一例であり、図１０に限定されない。また、時間密度にＮｏ  ＰＴＲＳの場合が含まれなくてもよい。また、複数の時間密度のテーブルは、同じ種類のテーブルでもよく、例えば、図１０−１のテーブルを３つ用意し、ＭＣＳスレショルドおよび／または時間密度の値をそれぞれ適切な値に設定してもよい。
【００９６】
図１１は、本実施形態におけるＭＣＳテーブルの一例を示す図である。図１１には２つのＭＣＳテーブルがあり、図１１−１および図１１−２は、ＭＣＳインデックスと変調多値数（Modulation Order）とＴＢＳインデックスの関係を示す図である。図１１のように複数のＭＣＳテーブルが定義されている場合、ＭＣＳスレショルドは、ＭＣＳテーブル毎
に別々に設定されてもよい。例えば、図９において、図１１−１のＭＣＳテーブルに対するＭＣＳスレショルドはＭＣＳ１＝１０、ＭＣＳ２＝１７、ＭＣＳ３＝２３、ＭＣＳ４＝２９と設定され、図１１−２のＭＣＳテーブルに対するＭＣＳスレショルドはＭＣＳ１＝５、ＭＣＳ２＝１０、ＭＣＳ３＝１９、ＭＣＳ４＝２８と設定されてもよい。また、例えば、図１０において、図１１−１のＭＣＳテーブルに対するＭＣＳスレショルドはＭＣＳ５＝１７、ＭＣＳ６＝２３、ＭＣＳ７＝２９と設定され、図１１−２のＭＣＳテーブルに対するＭＣＳスレショルドはＭＣＳ８＝５、ＭＣＳ９＝１０、ＭＣＳ１０＝１９、ＭＣＳ１１＝２８と設定されてもよい。なお、時間密度については、説明を省略するが、時間密度の値はそれぞれ適切に設定されてよい。
【００９７】
図１２は、本実施形態におけるＰＴＲＳの周波数密度の設定例を示す図である。図１２は、連続的にスケジュールされた帯域幅とＰＴＲＳの周波数密度との関係を示すテーブルである。図１２において、ＮＲＢは連続的にスケジュールされた帯域幅を表し、例えば、連続的に２つのリソースブロックがスケジュールされた場合、ＮＲＢ＝２となる。また、図１２において、ＮＲＢ１からＮＲＢ４は帯域幅スレショルドを表し、例えば、ＮＲＢ１＝３、ＮＲＢ２＝５、ＮＲＢ３＝１０、ＮＲＢ４＝１５と設定されてもよい。また、図１２において、Ｎｏ  ＰＴＲＳはリソースエレメントにＰＴＲＳが配置されないことを表す。また、図１２において、ＦＤ１からＦＤ３は周波数密度を表し、例えば、ＦＤ１＝１、ＦＤ２＝１／２、ＦＤ３＝１／３、ＦＤ４＝１／４と設定されてもよい。ここで、周波数密度が１／Ｎと設定される場合、スケジュールされた帯域幅の中で、Ｎ個のリソースブロック毎にＰＴＲＳが配置されてもよい。
【００９８】
なお、図１２において、帯域幅スレショルドおよび周波数密度の値は一例であり、これらの値に限定されない。また、図１２は、５種類の周波数密度が設定されるテーブルの例であるが、図１２に限定されず、３種類の周波数密度でもよいし、他の数でもよい。また、周波数密度にＮｏ  ＰＴＲＳの場合が含まれなくてもよい。
【００９９】
また、図１２において、周波数密度のテーブルは１つであるが、複数のテーブルが設定されてもよい。例えば、サブキャリア間隔毎にテーブルが設定されてもよいし、上記の複数の条件毎にテーブルが設定されてもよい。また、図１２の帯域幅スレショルドは、デフォルト値として事前にテーブルが定義されてもよい。また、事前に定義されたテーブル内の帯域幅スレショルドは、ＲＲＣ設定によって置き換えられてもよい。
【０１００】
帯域幅が不連続にスケジュールされる場合は、図１２においてＮＲＢ＝１と解釈して周波数密度が設定されてもよいし、帯域幅が不連続にスケジュールされる場合のテーブルを別途設けてもよい。
【０１０１】
なお、時間密度および／または周波数密度は、オシレータの性能等によって変更されてもよい。例えば、図９および／または図１０および／または図１２をデフォルト値とし、ＲＲＣやＭＡＣ、ＤＣＩにより随時設定値が変更されてもよい。
【０１０２】
周波数方向のＰＴＲＳは、１つのサブキャリア上に配置されてもよいし、複数のサブキャリアを用いて不連続に分散配置されてもよいし、複数のサブキャリア上に連続に配置されてもよい。また、ＰＴＲＳが設定されない場合があってもよいし、ＰＴＲＳが設定されない場合は、ＰＴＲＳの有無を示す情報で示されてもよいし、ＰＴＲＳを含まない旨を示すパターンとして定義されてもよい。
【０１０３】
ＰＴＲＳの有無および／またはＰＴＲＳのパターンおよび／またはＰＴＲＳの密度は、ＲＲＣやＭＡＣ、ＤＣＩにより設定または活性化または指示されてもよい。また、ＰＴＲＳの有無は、ＤＣＩに含まれるパラメータによってダイナミックに切り換えられてもよい
。例えば、ＰＴＲＳの有無は、ＭＣＳおよび／またはスケジューリング帯域幅および／またはサブキャリア間隔に基づいて設定されてもよいし、上記の複数の条件から１つまたは複数選択されることにより設定されてもよい。
【０１０４】
また、複数のアンテナを用いて送信する場合に、アンテナポート間でＰＴＲＳを直交させてもよい。また、端末装置１は、ＤＭＲＳの少なくともいずれか１つのポートとＰＴＲＳを送信するアンテナポートは同じであってよい。例えば、ＤＭＲＳのアンテナポート数が２、ＰＴＲＳのアンテナポート数が１の場合、ＤＭＲＳのアンテナポートのうち、いずれか一方のアンテナポートとＰＴＲＳのアンテナポートが同じであってもよいし、両方同じであってもよい。また、ＤＭＲＳとＰＴＲＳのアンテナポートは、ＱＣＬが想定されてもよい。例えば、ＤＭＲＳの位相雑音による周波数オフセットは、ＰＴＲＳで補償される周波数オフセットから推論される。また、ＰＴＲＳがマップされるかどうかに関わらず、常にＤＭＲＳは送信されてよい。
【０１０５】
図１３は、本実施形態におけるＣＳＩ−ＲＳおよびＰＴＲＳの構成例を示す図である。図１３の各図（図１３−１および図１３−２）において、黒色で塗りつぶされたリソースエレメントはＣＳＩ−ＲＳがマップされるリソースエレメントであり、斜線でハッチングされた箇所はＰＴＲＳがマップされるリソースエレメントである。
【０１０６】
ここで、本実施形態における参照信号の設定方法の一例を説明する。参照信号（ＣＳＩ−ＲＳ、ｆｒｏｎｔ−ｌｏａｄ  ＤＭＲＳ、ａｄｄｉｔｉｏｎａｌ  ＤＭＲＳ、ＰＴＲＳ等）は、ＲＲＣやＭＡＣ、ＤＣＩにより設定または活性化または指示されてもよい。例えば、上位層で参照信号のパターンを設定するための情報が受信され、参照信号のパターンを設定するための情報等に基づき、所定の参照信号パターンに設定されるよう指示されてもよい。ここで、参照信号のパターンを設定するための情報は、参照信号の配置に関する情報であり、参照信号のパターンに関する情報でもよいし、参照信号が配置される位置に関する情報でもよいし、参照信号の密度に関する情報でもよい。
【０１０７】
例えば、ＰＴＲＳの場合、上位層でＰＴＲＳの密度が受信され、ＰＴＲＳの密度に関する情報とＤＣＩに含まれる情報等に基づいて、ＰＴＲＳが所定のＰＴＲＳパターンに設定されるよう指示されてもよい。ここで、所定のＰＴＲＳパターンとは、ＰＴＲＳが配置されるリソースエレメントの位置を示す。
【０１０８】
所定のＰＴＲＳパターンとして設定を指示された後に、ＰＴＲＳはリソースエレメントにマップされてもよい。また、所定のＰＴＲＳパターンとして設定を指示された後に、ＰＴＲＳが生成され、リソースエレメントにマップされてもてもよい。このとき、本実施形態では、ＰＴＲＳ以外の参照信号における所定の参照信号パターンと所定のＰＴＲＳパターンとの配置位置が考慮され、他の参照信号およびＰＴＲＳがリソースエレメントにマップされる。ここで、マップされるとは、指示された所定の参照信号パターンが実際にリソースエレメント上に配置されることを意味してもよい。参照信号の設定方法は、ＰＴＲＳ以外の参照信号（ＣＳＩ−ＲＳ、ｆｒｏｎｔ−ｌｏａｄ  ＤＭＲＳ、ａｄｄｉｔｉｏｎａｌ  ＤＭＲＳ等）とＰＴＲＳとをリソースエレメントにマップする際に適用される。
【０１０９】
図１３の各図は、ＰＴＲＳが下から３番目のサブキャリア位置においてシンボル方向に連続に配置されるよう指示される例である。図１３−１は、ＣＳＩ−ＲＳの配置とＰＴＲＳの配置とがオーバラップ（重複）しない場合の例であり、ＣＳＩ−ＲＳおよびＰＴＲＳは、指示された所定の参照信号パターンの通りに、それぞれリソースエレメントにマップされる。一方、図１３−２は、一部のリソースエレメントにおいて、ＣＳＩ−ＲＳとＰＴＲＳとがオーバラップする場合の例であり、オーバラップしているリソースエレメントには、ＣＳＩ−ＲＳがマップされている。このように、ＰＴＲＳがＣＳＩ−ＲＳにオーバラ
ップされる場合、オーバラップしているリソースエレメントにはＰＴＲＳがマップされなくてもよい。つまり、ＣＳＩ−ＲＳがマップされたリソースエレメントにＰＴ−ＲＳはマップされない。ここで、ＰＴＲＳがマップされないとは、指示された所定のＰＴＲＳパターンの通りにＰＴＲＳが配置されない、または、ＰＴＲＳがパンクチャされることと同等である。
【０１１０】
なお、図１３のＣＳＩ−ＲＳおよびＰＴＲＳのパターンは一例であり、図１３に限定されない。また、図１３は、１リソースブロック内のシンボル数Ｘが１４の場合の例であるが、シンボル数Ｘが１４以外の場合においても同様に適用できる。
【０１１１】
図１４は、本実施形態におけるＤＭＲＳとＰＴＲＳの第一の構成例を示す図である。図１４の各図（図１４−１、図１４−２、図１４−３）において、横線でハッチングされたリソースエレメントはｆｒｏｎｔ−ｌｏａｄ  ＤＭＲＳがマップされるリソースエレメントであり、網目でハッチングされたリソースエレメントはａｄｄｉｔｉｏｎａｌ  ＤＭＲＳがマップされるリソースエレメントであり、斜線でハッチングされた箇所はＰＴＲＳがマップされるリソースエレメントである。
【０１１２】
図１４の各図は、ＰＴＲＳが下から３番目のサブキャリア位置においてシンボル方向に連続に配置されるよう指示される場合である。また、ｆｒｏｎｔ−ｌｏａｄ  ＤＭＲＳは、シンボル番号が３の位置においてサブキャリア方向に連続に配置されるよう指示される場合である。また、図１４−２は、ａｄｄｉｔｉｏｎａｌ  ＤＭＲＳがシンボル番号７の位置においてサブキャリア方向に連続に配置されるよう指示される場合であり、図１４−３は、ａｄｄｉｔｉｏｎａｌ  ＤＭＲＳがシンボル番号１１の位置においてサブキャリア方向に連続に配置されるよう指示される場合である。図１４−１は、ａｄｄｉｔｉｏｎａｌ  ＤＭＲＳが設定されない場合であり、図１４−２および図１４−３は、ａｄｄｉｔｉｏｎａｌ  ＤＭＲＳが設定される場合である。
【０１１３】
図１４−２および図１４−３において、ａｄｄｉｔｉｏｎａｌ  ＤＭＲＳとＰＴＲＳとが一部のリソースエレメントにおいてオーバラップしており、オーバラップしているリソースエレメントには、ａｄｄｉｔｉｏｎａｌ  ＤＭＲＳがマップされている。このように、ａｄｄｉｔｉｏｎａｌ  ＤＭＲＳとＰＴＲＳがオーバラップする場合、オーバラップしているリソースエレメントにはＰＴＲＳがマップされなくてもよい。つまり、設定されたＤＭＲＳ（ａｄｄｉｔｉｏｎａｌ  ＤＭＲＳ）がマップされるリソースエレメントにＰＴ−ＲＳはマップされない。ここで、ＰＴＲＳがマップされないとは、指示された所定のＰＴＲＳパターンの通りにＰＴＲＳが配置されない、または、ＰＴＲＳがパンクチャされることと同等である。
【０１１４】
なお、図１４のｆｒｏｎｔ−ｌｏａｄ  ＤＭＲＳ、ａｄｄｉｔｉｏｎａｌ  ＤＭＲＳおよびＰＴＲＳのパターンは一例であり、図１４に限定されない。また、図１４は、１リソースブロック内のシンボル数Ｘが１４の場合の例であるが、シンボル数Ｘが１４以外の場合においても同様に適用できる。ｆｒｏｎｔ−ｌｏａｄ  ＤＭＲＳはＲＲＣシグナリングやＤＣＩによりそのマップが指示されてもよく、ｆｒｏｎｔ−ｌｏａｄ  ＤＭＲＳは１シンボルでもよいし２シンボルでもよい。Ａｄｄｉｔｉｏｎａｌ  ＤＭＲＳは、ＲＲＣシグナリングやＤＣＩによりそのマップが指示されてもよい。
【０１１５】
図１５は、本実施形態におけるＤＭＲＳとＰＴＲＳの第二の構成例を示す図である。図１５の各図（図１５−１ａ、図１５−１ｂ、図１５−２ａ、図１５−２ｂ、図１５−３ａ、図１５−３ｂ）において、横線でハッチングリソースエレメントはｆｒｏｎｔ−ｌｏａｄ  ＤＭＲＳがマップされるリソースエレメントであり、網目でハッチングされたリソースエレメントはａｄｄｉｔｉｏｎａｌ  ＤＭＲＳがマップされるリソースエレメントであ
り、斜線でハッチングされた箇所はＰＴＲＳがマップされるリソースエレメントである。
【０１１６】
図１５の各図は、ＰＴＲＳが下から３番目のサブキャリア位置において１シンボルおきに配置されるよう指示される場合である。また、ｆｒｏｎｔ−ｌｏａｄ  ＤＭＲＳの配置は、図１４と同様であり、ａｄｄｉｔｉｏｎａｌ  ＤＭＲＳの配置は、図１５−２（図１５−２ａ、図１５−２ｂ）がシンボル番号７の位置に配置されるよう指示される場合であり、図１５−３（図１５−３ａ、図１５−３ｂ）がシンボル番号１１の位置に配置されるよう指示される場合である。図１５−１ａと図１５−１ｂとの相違点は、ＰＴＲＳが配置される位置であり、図１５−２および図１５−３についても同様である。
【０１１７】
図１５−１ａおよび図１５−１ｂは、ａｄｄｉｔｉｏｎａｌ  ＤＭＲＳが設定されない場合であり、図１５−２ａ、図１５−２ｂ、図１５−３ａおよび図１５−３ｂは、ａｄｄｉｔｉｏｎａｌ  ＤＭＲＳが設定される場合である。図１５−２ａおよび図１５−３ａにおいて、ａｄｄｉｔｉｏｎａｌ  ＤＭＲＳとＰＴＲＳがオーバラップしないため、ａｄｄｉｔｉｏｎａｌ  ＤＭＲＳとＰＴＲＳは、指示された所定の参照信号パターンの通りに、それぞれリソースエレメントにマップされる。一方、図１５−２ｂおよび図１５−３ｂにおいて、ａｄｄｉｔｉｏｎａｌ  ＤＭＲＳとＰＴＲＳとが一部のリソースエレメントにおいてオーバラップしており、オーバラップしているリソースエレメントには、ａｄｄｉｔｉｏｎａｌ  ＤＭＲＳがマップされている。このように、ａｄｄｉｔｉｏｎａｌ  ＤＭＲＳとＰＴＲＳがオーバラップする場合、オーバラップしているリソースエレメントにはＰＴＲＳがマップされなくてもよい。ここで、ＰＴＲＳがマップされないとは、指示された所定のＰＴＲＳパターンの通りにＰＴＲＳが配置されない、または、ＰＴＲＳがパンクチャされることと同等である。
【０１１８】
なお、図１５のｆｒｏｎｔ−ｌｏａｄ  ＤＭＲＳ、ｆｒｏｎｔ−ｌｏａｄ  ＤＭＲＳおよびＰＴＲＳのパターンは一例であり、図１５に限定されない。また、図１５は、１リソースブロック内のシンボル数Ｘが１４の場合の例であるが、シンボル数Ｘが１４以外の場合においても同様に適用できる。ｆｒｏｎｔ−ｌｏａｄ  ＤＭＲＳはＲＲＣシグナリングやＤＣＩによりそのマップが指示されてもよく、ｆｒｏｎｔ−ｌｏａｄ  ＤＭＲＳは１シンボルでもよいし２シンボルでもよい。Ａｄｄｉｔｉｏｎａｌ  ＤＭＲＳは、ＲＲＣシグナリングやＤＣＩによりそのマップが指示されてもよい。
【０１１９】
図１６は、本実施形態におけるＤＭＲＳとＰＴＲＳの第三の構成例を示す図である。図１６の各図（図１６−１、図１６−２）において、横線でハッチングされたリソースエレメントはｆｒｏｎｔ−ｌｏａｄ  ＤＭＲＳがマップされるリソースエレメントであり、網目でハッチングされたリソースエレメントはａｄｄｉｔｉｏｎａｌ  ＤＭＲＳがマップされるリソースエレメントであり、斜線でハッチングされた箇所はＰＴＲＳがマップされるリソースエレメントである。図１６の各図（図１６−１および図１６−２）は、図１５−２ｂにおいてａｄｄｉｔｉｏｎａｌ  ＤＭＲＳとオーバラップするＰＴＲＳを異なるシンボル位置にマップする例である。具体的には、図１５−２ｂにおいてシンボル番号が７のシンボル位置にマップされなかったＰＴＲＳは、図１６−１においてシンボル番号が６の位置にマップされてもよく、また、図１６−２においてシンボル番号が８の位置にマップされてもよい。このように、ｆｒｏｎｔ−ｌｏａｄ  ＤＭＲＳとオーバラップしたＰＴＲＳは、同じサブキャリア番号における異なるシンボル位置にマップされてもよい。これにより、時間密度によって設定されるＰＴＲＳの密度を維持することができる。なお、図１６は一例であり、ＰＴＲＳがマップされるシンボル番号は、ａｄｄｉｔｉｏｎａｌ  ＤＭＲＳに隣り合うシンボル番号でなくてもよい。なお、ＰＴＲＳがｆｒｏｎｔ−ｌｏａｄ  ＤＭＲＳ以外の参照信号（例えば、ＣＳＩ−ＲＳ、ｆｒｏｎｔ−ｌｏａｄ  ＤＭＲＳ、ＳＲＳ等）とオーバラップする場合においても、同様に上記の方法が適用されてもよい。
【０１２０】
なお、本実施形態では、ＣＳＩ−ＲＳとＰＴＲＳの構成例と、ＤＭＲＳとＰＴＲＳの構成例について、それぞれの構成方法を示したが、複数の参照信号（例えば、ＣＳＩ−ＲＳおよびＤＭＲＳ）とＰＴＲＳとを構成する場合にも、上記の方法が適用されてもよい。また、複数の参照信号は、ＣＳＩ−ＲＳ、ＤＭＲＳ以外の参照信号でもよい。
【０１２１】
以下に、本実施形態における基地局装置３と端末装置１の処理を示す。なお、ここでは、主にＰＴＲＳの設定に関連する内容について説明する。
【０１２２】
下りリンクの伝送において、ＣＰ−ＯＦＤＭの無線伝送方式を適用する場合における基地局装置３の動作の例を示す。基地局装置３は、スケジューリングを行い、スケジューリングされた端末装置１に対して参照信号を設定する。このとき、基地局装置３は、上述した参照信号の設定方法を用いて、ＣＳＩ−ＲＳ、ｆｒｏｎｔ−ｌｏａｄ  ＤＭＲＳ、ａｄｄｉｔｉｏｎａｌ  ＤＭＲＳ、ＰＴＲＳ等をリソースエレメントにマップする。
【０１２３】
下りリンクの伝送において、ＣＰ−ＯＦＤＭの無線伝送方式を適用する場合の端末装置１の動作の例を示す。端末装置１は、基地局装置３から送信された信号を受信し、ＰＴＲＳのパターンを判定し、ＰＴＲＳを用いて位相雑音をトラックする。例えば、端末装置１は、基地局装置３におけるＰＴＲＳの設定ルールと同様な手順でＰＴＲＳのパターンを判定してもよいし、ＤＣＩで通知された情報を用いてＰＴＲＳのパターンを判定してもよい。例えば、ＭＣＳおよび／またはスケジューリング帯域幅などを用いて、ＰＴＲＳの密度を判定してもよい。
【０１２４】
上りリンクの伝送において、ＣＰ−ＯＦＤＭの無線伝送方式を適用する場合における基地局装置３の動作の例を示す。基地局装置３は、端末装置１から送信された信号を受信し、ＰＴＲＳを用いて位相雑音をトラックする。また、基地局装置３は、スケジューリングを行い、端末装置１が上りリンクで伝送する際のＰＴＲＳの設定に必要な情報を設定する。ＰＴＲＳの設定に必要な情報とは、例えば、ＰＴＲＳのパターンおよび／またはＰＴＲＳの密度などを含んでもよい。
【０１２５】
上りリンクの伝送において、ＣＰ−ＯＦＤＭの無線伝送方式を適用する場合における端末装置１の動作の例を示す。端末装置１は、基地局装置３において設定された情報に基づいて、端末装置１が上りリンクで伝送する際の参照信号を設定する。このとき、端末装置１は、上述した参照信号の設定方法を用いて、ＳＲＳ、ｆｒｏｎｔ−ｌｏａｄ  ＤＭＲＳ、ａｄｄｉｔｉｏｎａｌ  ＤＭＲＳ、ＰＴＲＳ等をリソースエレメントにマップする。なお、端末装置１は、ＤＣＩで通知された情報を用いてＰＴＲＳのパターンを設定してもよい。例えば、端末装置１は、ＭＣＳおよび／またはスケジューリング帯域幅などを用いて、ＰＴＲＳの密度を設定してもよい。また、ｆｒｏｎｔ−ｌｏａｄ  ＤＭＲＳ、ａｄｄｉｔｉｏｎａｌ  ＤＭＲＳシンボルがマップされるリソースエレメントにＰＴ−ＲＳはマップされなくてもよい。また、ＳＲＳシンボルがマップされるリソースエレメントにはＰＴ−ＲＳがマップされ、ＳＲＳシンボルがマップされなくてもよい。また、ＳＲＳシンボルがマップされるリソースエレメントにはＰＴ−ＲＳがマップされなくてもよい。
【０１２６】
上りリンクの伝送において、ＤＦＴＳ−ＯＦＤＭ（ＳＣ−ＦＤＭ）の無線伝送方式を適用する場合における基地局装置３および端末装置１の動作の例を示す。なお、ここでは、主に、上りリンクの伝送においてＣＰ−ＯＦＤＭを適用する場合と異なる点を中心に説明する。ＤＦＴＳ−ＯＦＤＭ（ＳＣ−ＦＤＭ）の場合、端末装置１は、ＰＴＲＳをＤＦＴに入力する前の特定の時間位置に挿入してもよい。このとき、ＰＴＲＳは、連続する複数のサンプル毎にＰＴＲＳが挿入されてよいし、離散的に配置されてもよい。また、端末装置１は、ＤＦＴ拡散の後に、ＰＴＲＳを時間および／または周波数に配置してもよい。
【０１２７】
なお、ＰＴＲＳは、ＺＰ−ＰＴＲＳ（Zero Power-PTRS）が設定されてもよく、ＲＲＣ
やＭＡＣ、ＤＣＩにより設定または活性化または指示されてもよい。ＺＰ−ＰＴＲＳとは、送信電力を０に設定して送信することを指示されるリソースエレメントの位置を示す情報である。例えば、複数の端末装置１を多重するＭＵ−ＭＩＭＯ（Multiuser-MIMO）等が用いられる場合に適用されてもよく、端末装置１Ａと端末装置１Ｂが同じリソースに割り当てられる場合に、端末装置１ＡのＺＰ−ＰＴＲＳは、端末装置１ＢにマップされるＰＴＲＳの位置が設定されてもよい。ＺＰ−ＰＴＲＳが設定されるリソースエレメントには、他の参照信号（例えば、ＣＳＩ−ＲＳ、ｆｒｏｎｔ−ｌｏａｄ  ＤＭＲＳ、ａｄｄｉｔｉｏｎａｌ  ＤＭＲＳ等）がマップされてもよいし、一部の参照信号がマップされてもよいし、マップされなくてもよい。例えば、ＺＰ−ＰＴＲＳが設定されるリソースエレメントには、ＣＳＩ−ＲＳおよびｆｒｏｎｔ−ｌｏａｄ  ＤＭＲＳはマップされるが、ａｄｄｉｔｉｏｎａｌ  ＤＭＲＳはマップされなくてもよい。
【０１２８】
本実施形態の一態様は、ＬＴＥやＬＴＥ−Ａ／ＬＴＥ−Ａ  Ｐｒｏといった無線アクセス技術（RAT: Radio Access Technology）とのキャリアアグリゲーションまたはデュアルコネクティビティにおいてオペレーションされてもよい。このとき、一部またはすべてのセルまたはセルグループ、キャリアまたはキャリアグループ（例えば、プライマリセル（PCell: Primary Cell）、セカンダリセル（SCell: Secondary Cell）、プライマリセカンダリセル（PSCell）、ＭＣＧ（Master Cell Group）、ＳＣＧ（Secondary Cell Group）
など）で用いられてもよい。また、単独でオペレーションするスタンドアローンで用いられてもよい。
【０１２９】
以下、本実施形態における装置の構成について説明する。ここでは、下りリンクの無線伝送方式として、ＣＰ−ＯＦＤＭ、上りリンクの無線伝送方式としてＣＰ−ＯＦＤＭまたはＤＦＴＳ−ＯＦＤＭ（ＳＣ−ＦＤＭ）を適用する場合の例を示している。
【０１３０】
図６は、本実施形態の端末装置１の構成を示す概略ブロック図である。図示するように、端末装置１は、上位層処理部１０１、制御部１０３、受信部１０５、送信部１０７と送受信アンテナ１０９を含んで構成される。また、上位層処理部１０１は、無線リソース制御部１０１１、スケジューリング情報解釈部１０１３、および、チャネル状態情報（ＣＳＩ）報告制御部１０１５を含んで構成される。また、受信部１０５は、復号化部１０５１、復調部１０５３、多重分離部１０５５、無線受信部１０５７と測定部１０５９を含んで構成される。また、送信部１０７は、符号化部１０７１、変調部１０７３、多重部１０７５、無線送信部１０７７と上りリンク参照信号生成部１０７９を含んで構成される。
【０１３１】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層
、無線リソース制御（Radio Resource Control: RRC）層の処理を行う。
【０１３２】
上位層処理部１０１が備える無線リソース制御部１０１１は、自装置の各種設定情報の管理をする。また、無線リソース制御部１０１１は、上りリンクの各チャネルに配置される情報を生成し、送信部１０７に出力する。
【０１３３】
上位層処理部１０１が備えるスケジューリング情報解釈部１０１３は、受信部１０５を介して受信したＤＣＩ（スケジューリング情報）の解釈をし、前記ＤＣＩを解釈した結果に基づき、受信部１０５、および送信部１０７の制御を行うために制御情報を生成し、制御部１０３に出力する。
【０１３４】
ＣＳＩ報告制御部１０１５は、測定部１０５９に、ＣＳＩ参照リソースに関連するチャネル状態情報（ＲＩ／ＰＭＩ／ＣＱＩ／ＣＲＩ）を導き出すよう指示する。ＣＳＩ報告制御部１０１５は、送信部１０７に、ＲＩ／ＰＭＩ／ＣＱＩ／ＣＲＩを送信するよう指示をする。ＣＳＩ報告制御部１０１５は、測定部１０５９がＣＱＩを算出する際に用いる設定をセットする。
【０１３５】
制御部１０３は、上位層処理部１０１からの制御情報に基づいて、受信部１０５、および送信部１０７の制御を行う制御信号を生成する。制御部１０３は、生成した制御信号を受信部１０５、および送信部１０７に出力して受信部１０５、および送信部１０７の制御を行う。
【０１３６】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１３７】
無線受信部１０５７は、送受信アンテナ１０９を介して受信した下りリンクの信号を、中間周波数に変換し（ダウンコンバート: down covert）、不要な周波数成分を除去し、
信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出す
る。
【０１３８】
多重分離部１０５５は、抽出した信号を下りリンクのＰＤＣＣＨ、ＰＤＳＣＨ、および下りリンク参照信号に、それぞれ分離する。また、多重分離部１０５５は、測定部１０５９から入力された伝搬路の推定値から、ＰＤＣＣＨおよびＰＤＳＣＨの伝搬路の補償を行う。また、多重分離部１０５５は、分離した下りリンク参照信号を測定部１０５９に出力する。
【０１３９】
復調部１０５３は、ＰＤＣＣＨに対して、復調を行い、復号化部１０５１へ出力する。復号化部１０５１は、ＰＤＣＣＨの復号を試み、復号に成功した場合、復号した下りリンク制御情報と下りリンク制御情報が対応するＲＮＴＩとを上位層処理部１０１に出力する。
【０１４０】
復調部１０５３は、ＰＤＳＣＨに対して、ＱＰＳＫ（Quadrature Phase Shift Keying
）、１６ＱＡＭ（Quadrature Amplitude Modulation）、６４ＱＡＭ、２５６ＱＡＭ等の
下りリンクグラントで通知された変調方式の復調を行い、復号化部１０５１へ出力する。復号化部１０５１は、下りリンク制御情報で通知された伝送または原符号化率に関する情報に基づいて復号を行い、復号した下りリンクデータ（トランスポートブロック）を上位層処理部１０１へ出力する。
【０１４１】
測定部１０５９は、多重分離部１０５５から入力された下りリンク参照信号から、下りリンクのパスロスの測定、チャネル測定、および／または、干渉測定を行う。測定部１０５９は、測定結果に基づいて算出したＣＳＩ、および、測定結果を上位層処理部１０１へ出力する。また、測定部１０５９は、下りリンク参照信号から下りリンクの伝搬路の推定値を算出し、多重分離部１０５５へ出力する。
【０１４２】
送信部１０７は、制御部１０３から入力された制御信号に従って、上りリンク参照信号を生成し、上位層処理部１０１から入力された上りリンクデータ（トランスポートブロッ
ク）を符号化および変調し、ＰＵＣＣＨ、ＰＵＳＣＨ、および生成した上りリンク参照信号を多重し、送受信アンテナ１０９を介して基地局装置３に送信する。
【０１４３】
符号化部１０７１は、上位層処理部１０１から入力された上りリンク制御情報、および、上りリンクデータを符号化する。変調部１０７３は、符号化部１０７１から入力された符号化ビットをＢＰＳＫ、ＱＰＳＫ、１６ＱＡＭ、６４ＱＡＭ、２５６ＱＡＭ等の変調方式で変調する。
【０１４４】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１４５】
多重部１０７５は、ＰＵＳＣＨのスケジューリングに用いられる情報に基づき、空間多重されるＰＵＳＣＨのレイヤの数を決定し、ＭＩＭＯ空間多重（MIMO SM: Multiple Input Multiple Output Spatial Multiplexing）を用いることにより同一のＰＵＳＣＨで送信される複数の上りリンクデータを、複数のレイヤにマッピングし、このレイヤに対してプレコーディング（precoding）を行う。
【０１４６】
多重部１０７５は、制御部１０３から入力された制御信号に従って、ＰＵＳＣＨの変調シンボルを離散フーリエ変換（Discrete Fourier Transform: DFT）する。また、多重部
１０７５は、ＰＵＣＣＨおよび／またはＰＵＳＣＨの信号と生成した上りリンク参照信号を送信アンテナポート毎に多重する。つまり、多重部１０７５は、ＰＵＣＣＨおよび／またはＰＵＳＣＨの信号と生成した上りリンク参照信号を送信アンテナポート毎にリソースエレメントに配置する。
【０１４７】
無線送信部１０７７は、多重された信号を逆高速フーリエ変換（Inverse Fast Fourier
Transform: IFFT）して、ＳＣ−ＦＤＭ方式の変調を行い、ＳＣ−ＦＤＭ変調されたＳＣ−ＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１４８】
図７は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、スケジューリング部３０１３、および、ＣＳＩ報告制御部３０１５を含んで構成される。また、受信部３０５は、復号化部３０５１、復調部３０５３、多重分離部３０５５、無線受信部３０５７と測定部３０５９を含んで構成される。また、送信部３０７は、符号化部３０７１、変調部３０７３、多重部３０７５、無線送信部３０７７と下りリンク参照信号生成部３０７９を含んで構成される。
【０１４９】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行う。また、上位層処理部３０１は、受信部３０５、および送信部３０７の制御を行うために制御情報を生成し、制御部３０３に出力する。
【０１５０】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノー
ドから取得し、送信部３０７に出力する。また、無線リソース制御部３０１１は、端末装置１各々の各種設定情報の管理をする。
【０１５１】
上位層処理部３０１が備えるスケジューリング部３０１３は、受信したＣＳＩおよび測定部３０５９から入力された伝搬路の推定値やチャネルの品質などから、物理チャネル（ＰＤＳＣＨまたはＰＵＳＣＨ）を割り当てる周波数およびサブフレーム、物理チャネル（ＰＤＳＣＨまたはＰＵＳＣＨ）の伝送符号化率および変調方式および送信電力などを決定する。スケジューリング部３０１３は、スケジューリング結果に基づき、受信部３０５、および送信部３０７の制御を行うために制御情報を生成し、制御部３０３に出力する。スケジューリング部３０１３は、スケジューリング結果に基づき、物理チャネル（ＰＤＳＣＨまたはＰＵＳＣＨ）のスケジューリングに用いられる情報（例えば、ＤＣＩ（フォーマット））を生成する。
【０１５２】
上位層処理部３０１が備えるＣＳＩ報告制御部３０１５は、端末装置１のＣＳＩ報告を制御する。ＣＳＩ報告制御部３０１５は、端末装置１がＣＳＩ参照リソースにおいてＲＩ／ＰＭＩ／ＣＱＩを導き出すために想定する、各種設定を示す情報を、送信部３０７を介して、端末装置１に送信する。
【０１５３】
制御部３０３は、上位層処理部３０１からの制御情報に基づいて、受信部３０５、および送信部３０７の制御を行う制御信号を生成する。制御部３０３は、生成した制御信号を受信部３０５、および送信部３０７に出力して受信部３０５、および送信部３０７の制御を行う。
【０１５４】
受信部３０５は、制御部３０３から入力された制御信号に従って、送受信アンテナ３０９を介して端末装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、
不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１５５】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数
領域の信号を抽出し多重分離部３０５５に出力する。
【０１５６】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行われる。また、多重分離部３０５５は、測定部３０５９から入力された伝搬路の推定値から、ＰＵＣＣＨとＰＵＳＣＨの伝搬路の補償を行う。また、多重分離部３０５５は、分離した上りリンク参照信号を測定部３０５９に出力する。
【０１５７】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４
ＱＡＭ、２５６ＱＡＭ等の予め定められた、または自装置が端末装置１各々に上りリンクグラントで予め通知した変調方式を用いて受信信号の復調を行う。復調部３０５３は、端末装置１各々に上りリンクグラントで予め通知した空間多重される系列の数と、この系列に対して行うプリコーディングを指示する情報に基づいて、ＭＩＭＯ  ＳＭを用いることにより同一のＰＵＳＣＨで送信された複数の上りリンクデータの変調シンボルを分離する。
【０１５８】
復号化部３０５１は、復調されたＰＵＣＣＨとＰＵＳＣＨの符号化ビットを、予め定められた符号化方式の、予め定められた、又は自装置が端末装置１に上りリンクグラントで予め通知した伝送または原符号化率で復号を行い、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行う。測定部３０５９は、多重分離部３０５５から入力された上りリンク参照信号から伝搬路の推定値、チャネルの品質などを測定し、多重分離部３０５５および上位層処理部３０１に出力する。
【０１５９】
送信部３０７は、制御部３０３から入力された制御信号に従って、下りリンク参照信号を生成し、上位層処理部３０１から入力された下りリンク制御情報、下りリンクデータを符号化、および変調し、ＰＤＣＣＨ、ＰＤＳＣＨ、および下りリンク参照信号を多重または別々の無線リソースで、送受信アンテナ３０９を介して端末装置１に信号を送信する。
【０１６０】
符号化部３０７１は、上位層処理部３０１から入力された下りリンク制御情報、および下りリンクデータを符号化する。変調部３０７３は、符号化部３０７１から入力された符号化ビットをＢＰＳＫ、ＱＰＳＫ、１６ＱＡＭ、６４ＱＡＭ、２５６ＱＡＭ等の変調方式で変調する。
【０１６１】
下りリンク参照信号生成部３０７９は、基地局装置３を識別するための物理セル識別子（ＰＣＩ）などを基に予め定められた規則で求まる、端末装置１が既知の系列を下りリンク参照信号として生成する。
【０１６２】
多重部３０７５は、空間多重されるＰＤＳＣＨのレイヤの数に応じて、１つのＰＤＳＣＨで送信される１つまたは複数の下りリンクデータを、１つまたは複数のレイヤにマッピングし、該１つまたは複数のレイヤに対してプレコーディング（precoding）を行う。多
重部３０７５は、下りリンク物理チャネルの信号と下りリンク参照信号を送信アンテナポート毎に多重する。多重部３０７５は、送信アンテナポート毎に、下りリンク物理チャネルの信号と下りリンク参照信号をリソースエレメントに配置する。
【０１６３】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１６４】
（１）より具体的には、本発明の第１の態様における端末装置１は、基地局装置と通信する端末装置であって、前記基地局装置との通信に用いられる第１の情報と第２の情報を受信する上位層処理部と、第１の参照信号と、第２の参照信号と、第３の参照信号と、物理上りリンク共有チャネルを送信する送信部と、物理下りリンク制御チャネルを受信する受信部と、を備え、前記第１の情報は、前記第２の参照信号の配置に関する情報を含み、
前記第２の情報は、前記第３の参照信号の配置に関する情報を含み、前記物理上りリンク共有チャネルは、前記物理下りリンク制御チャネルにより受信された下りリンク制御情報に基づいて送信され、前記第１の参照信号は、前記下りリンク制御情報に基づいて決定されるリソースブロック内の一部のリソースエレメントに常に配置され、前記第２の参照信号は、前記第１の情報に基づいて、前記リソースブロック内の前記第１の参照信号とは異なるリソースエレメントに配置され、前記第３の参照信号は、前記第２の情報に基づいて、前記リソースブロック内の一部のリソースエレメントである第１のリソースエレメントに配置され、前記第２の参照信号が配置されるリソースエレメントの位置と前記第１のリソースエレメントの位置とが同じである場合に、前記リソースエレメントに前記第３の参照信号がマップされない。
【０１６５】
（２）上記の第１の態様において、前記第１のリソースエレメントとは異なるシンボル番号である第２のリソースエレメントに、前記第３の参照信号が配置されない場合に、前記第２のリソースエレメントに前記第３の参照信号がマップされる。
【０１６６】
（３）本発明の第２の態様における基地局装置３は、端末装置と通信する基地局装置であって、前記端末装置との通信に用いられる第１の情報と第２の情報を受信する上位層処理部と、物理下りリンク制御チャネルを送信する送信部と、第１の参照信号と、第２の参照信号と、第３の参照信号と、物理上りリンク共有チャネルを受信する受信部と、を備え、前記第１の情報は、前記第２の参照信号の配置に関する情報を含み、前記第２の情報は、前記第３の参照信号の配置に関する情報を含み、前記物理上りリンク共有チャネルは、前記物理下りリンク制御チャネルにより送信された下りリンク制御情報に基づいて送信され、前記第１の参照信号は、前記下りリンク制御情報に基づいて決定されるリソースブロック内の一部のリソースエレメントに常に配置され、前記第２の参照信号は、前記第１の情報に基づいて、前記リソースブロック内の前記第１の参照信号とは異なるリソースエレメントに配置され、前記第３の参照信号は、前記第２の情報に基づいて、前記リソースブロック内の一部のリソースエレメントである第１のリソースエレメントに配置され、前記第２の参照信号が配置されるリソースエレメントの位置と前記第１のリソースエレメントの位置とが同じである場合に、前記リソースエレメントに前記第３の参照信号がマップされない。
【０１６７】
（４）上記の第２の態様において、前記第１のリソースエレメントとは異なるシンボル番号である第２のリソースエレメントに、前記第３の参照信号が配置されない場合に、前記第２のリソースエレメントに前記第３の参照信号がマップされる。
【０１６８】
（５）本発明の第３の態様における通信方法は、基地局装置と通信する端末装置の通信方法であって、前記基地局装置との通信に用いられる第１の情報と第２の情報を受信し、第１の参照信号と、第２の参照信号と、第３の参照信号と、物理上りリンク共有チャネルを送信し、物理下りリンク制御チャネルを受信し、前記第１の情報は、前記第２の参照信号の配置に関する情報を含み、前記第２の情報は、前記第３の参照信号の配置に関する情報を含み、前記物理上りリンク共有チャネルは、前記物理下りリンク制御チャネルにより受信された下りリンク制御情報に基づいて送信され、前記第１の参照信号は、前記下りリンク制御情報に基づいて決定されるリソースブロック内の一部のリソースエレメントに常に配置され、前記第２の参照信号は、前記第１の情報に基づいて、前記リソースブロック内の前記第１の参照信号とは異なるリソースエレメントに配置され、前記第３の参照信号は、前記第２の情報に基づいて、前記リソースブロック内の一部のリソースエレメントである第１のリソースエレメントに配置され、前記第２の参照信号が配置されるリソースエレメントの位置と前記第１のリソースエレメントの位置とが同じである場合に、前記リソースエレメントに前記第３の参照信号がマップされない。
【０１６９】
（６）本発明の第４の態様における通信方法は、端末装置と通信する基地局装置の通信方法であって、前記端末装置との通信に用いられる第１の情報と第２の情報を受信し、物理下りリンク制御チャネルを送信し、第１の参照信号と、第２の参照信号と、第３の参照信号と、物理上りリンク共有チャネルを受信し、前記第１の情報は、前記第２の参照信号の配置に関する情報を含み、前記第２の情報は、前記第３の参照信号の配置に関する情報を含み、前記物理上りリンク共有チャネルは、前記物理下りリンク制御チャネルにより送信された下りリンク制御情報に基づいて送信され、前記第１の参照信号は、前記下りリンク制御情報に基づいて決定されるリソースブロック内の一部のリソースエレメントに常に配置され、前記第２の参照信号は、前記第１の情報に基づいて、前記リソースブロック内の前記第１の参照信号とは異なるリソースエレメントに配置され、前記第３の参照信号は、前記第２の情報に基づいて、前記リソースブロック内の一部のリソースエレメントである第１のリソースエレメントに配置され、前記第２の参照信号が配置されるリソースエレメントの位置と前記第１のリソースエレメントの位置とが同じである場合に、前記リソースエレメントに前記第３の参照信号がマップされない。
【０１７０】
（７）本発明の第５の態様における集積回路は、基地局装置と通信する端末装置に実装される集積回路であって、前記基地局装置との通信に用いられる第１の情報と第２の情報を受信する受信手段と、第１の参照信号と、第２の参照信号と、第３の参照信号と、物理上りリンク共有チャネルを送信する送信手段と、物理下りリンク制御チャネルを受信する受信手段と、を備え、前記第１の情報は、前記第２の参照信号の配置に関する情報を含み、前記第２の情報は、前記第３の参照信号の配置に関する情報を含み、前記物理上りリンク共有チャネルは、前記物理下りリンク制御チャネルにより受信された下りリンク制御情報に基づいて送信され、前記第１の参照信号は、前記下りリンク制御情報に基づいて決定されるリソースブロック内の一部のリソースエレメントに常に配置され、前記第２の参照信号は、前記第１の情報に基づいて、前記リソースブロック内の前記第１の参照信号とは異なるリソースエレメントに配置され、前記第３の参照信号は、前記第２の情報に基づいて、前記リソースブロック内の一部のリソースエレメントである第１のリソースエレメントに配置され、前記第２の参照信号が配置されるリソースエレメントの位置と前記第１のリソースエレメントの位置とが同じである場合に、前記リソースエレメントに前記第３の参照信号がマップされない。
【０１７１】
（８）本発明の第６の態様における集積回路は、端末装置と通信する基地局装置に実装される集積回路であって、前記端末装置との通信に用いられる第１の情報と第２の情報を受信する受信手段と、物理下りリンク制御チャネルを送信する送信手段と、第１の参照信号と、第２の参照信号と、第３の参照信号と、物理上りリンク共有チャネルを受信する受信手段と、を備え、前記第１の情報は、前記第２の参照信号の配置に関する情報を含み、前記第２の情報は、前記第３の参照信号の配置に関する情報を含み、前記物理上りリンク共有チャネルは、前記物理下りリンク制御チャネルにより送信された下りリンク制御情報に基づいて送信され、前記第１の参照信号は、前記下りリンク制御情報に基づいて決定されるリソースブロック内の一部のリソースエレメントに常に配置され、前記第２の参照信号は、前記第１の情報に基づいて、前記リソースブロック内の前記第１の参照信号とは異なるリソースエレメントに配置され、前記第３の参照信号は、前記第２の情報に基づいて、前記リソースブロック内の一部のリソースエレメントである第１のリソースエレメントに配置され、前記第２の参照信号が配置されるリソースエレメントの位置と前記第１のリソースエレメントの位置とが同じである場合に、前記リソースエレメントに前記第３の参照信号がマップされない。
【０１７２】
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによ
って取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０１７３】
尚、本発明に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０１７４】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、ディジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いることも可能である。
【０１７５】
なお、本発明に関わる実施形態では、基地局装置と端末装置で構成される通信システムに適用される例を記載したが、Ｄ２Ｄ（Device to Device）のような、端末同士が通信を行うシステムにおいても適用可能である。
【０１７６】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１７７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１７８】
１（１Ａ、１Ｂ、１Ｃ）  端末装置
３  基地局装置
１０  ＴＸＲＵ
１１  位相シフタ
１２  アンテナ
１０１  上位層処理部
１０３  制御部
１０５  受信部
１０７  送信部
１０９  アンテナ
３０１  上位層処理部
３０３  制御部
３０５  受信部
３０７  送信部
１０１１  無線リソース制御部
１０１３  スケジューリング情報解釈部
１０１５  チャネル状態情報報告制御部
１０５１  復号化部
１０５３  復調部
１０５５  多重分離部
１０５７  無線受信部
１０５９  測定部
１０７１  符号化部
１０７３  変調部
１０７５  多重部
１０７７  無線送信部
１０７９  上りリンク参照信号生成部
３０１１  無線リソース制御部
３０１３  スケジューリング部
３０１５  チャネル状態情報報告制御部
３０５１  復号化部
３０５３  復調部
３０５５  多重分離部
３０５７  無線受信部
３０５９  測定部
３０７１  符号化部
３０７３  変調部
３０７５  多重部
３０７７  無線送信部
３０７９  下りリンク参照信号生成部
【図１】
2019050469.tif 000003
【図２】
2019050469.tif 000004
【図３】
2019050469.tif 000005
【図４】
2019050469.tif 000006
【図５】
2019050469.tif 000007
【図６】
2019050469.tif 000008
【図７】
2019050469.tif 000009
【図８】
2019050469.tif 000010
【図９】
2019050469.tif 000011
【図１０】
2019050469.tif 000012
【図１１】
2019050469.tif 000013
【図１２】
2019050469.tif 000014
【図１３】
2019050469.tif 000015
【図１４】
2019050469.tif 000016
【図１５】
2019050469.tif 000017
【図１６】
2019050469.tif 000018